(57)【要約】  本発明は、係合軸（Ｅ）に沿う導管（Ｋ）に対して線形の力を加えることのみによりロック位置からロック解除位置へと切り替えられ得るラインコネクタ（１）に関する。これにより、片手のみを使用してこのようなラインコネクタ（１）を動作させる方法に関しての問題を解決する。コネクタ（１）が、カムボディ（１００）の様々な回転位置において、導管（Ｋ）に接続されるカムボディ（１００）によりロック解除位置およびロック位置を占有するのを可能にするように構成される機構を有し、ロック解除位置では導管（Ｋ）のための取り付け機構（１４９）がロック解除され得、ロック位置では取り付け機構（１４９）がロック解除され得ない。【選択図】図１ａ
2021503584.tif 000002
【特許請求の範囲】
【請求項１】
導管（Ｋ）の差込み部（Ｓ）のためのインレット（２）と、アウトレット（３）とを備えるハウジング（４）を有し、挿入位置において前記差込み部（Ｓ）を着脱自在に保持するための係合機構（３０）を有し、該係合機構（３０）が係合軸（Ｅ）を囲むラインコネクタ（１）であって、前記係合機構（３０）が、
変換機構（４０）と
前記係合軸（Ｅ）に沿ってかつ前記係合軸（Ｅ）の周りで前記変換機構（４０）を基準として移動可能となるように構成されるとともに、前記導管（Ｋ）のための取り付け機構（１４９）を備えるカムボディ（１００）と
を備え、
前記変換機構（４０）および前記カムボディ（１００）が、前記変換機構（４０）に対しての前記カムボディ（１００）の係合を介して、前記係合軸（Ｅ）に沿う前記カムボディ（１００）のモーションを、前記係合軸（Ｅ）を中心とする前記カムボディ（１００）の回転モーションへと変換するように構成され、
前記変換機構（４０）が、前記カムボディ（１００）の様々な回転位置において前記カムボディ（１００）によりロック解除位置およびロック位置を占有するのを可能にするように構成され、前記ロック解除位置では、前記取り付け機構（１４９）がラインコネクタ（１）から前記差込み部（Ｓ）を解放するためにロック解除され得、前記ロック位置では前記取り付け機構（１４９）がロックされるラインコネクタ（１）。
【請求項２】
前記変換機構（４０）が、前記係合軸（Ｅ）に沿うかつ前記係合軸（Ｅ）の周りでの移動に対して固定され得る第１の動作要素（５０）および第２の動作要素（８０）を備え、
前記カムボディ（１００）が、前記第１の動作要素（５０）と前記第２の動作要素（８０）との間で、前記係合軸（Ｅ）に沿ってかつ前記係合軸（Ｅ）の周りで移動可能に配置される請求項１に記載のラインコネクタ（１）。
【請求項３】
前記第２の動作要素（８０）および前記カムボディ（１００）が、前記第２の動作要素（８０）に対しての前記カムボディ（１００）の係合を介して、前記係合軸（Ｅ）に沿う前記カムボディ（１００）の線形モーションを、前記係合軸（Ｅ）を中心とする前記カムボディ（Ｅ）の回転モーションへと変換するように構成され、
前記第１の動作要素（５０）が、前記カムボディ（１００）の様々な回転位置において前記カムボディ（１００）によりロック解除位置およびロック位置を占有するのを可能にするように構成され、前記ロック解除位置では前記取り付け機構（１４９）がロック解除され得、前記ロック位置では前記取り付け機構（１４９）がロックされる請求項２に記載のラインコネクタ（１）。
【請求項４】
前記第１の動作要素（５０）および前記カムボディ（１００）が、前記第１の動作要素（５０）に対しての前記カムボディ（１００）の係合を介して、前記係合軸（Ｅ）に沿う前記カムボディ（１００）の線形モーションを、前記係合軸（Ｅ）を中心とする前記カムボディ（１００）の回転モーションへと変換するように構成される請求項２または３に記載のラインコネクタ（１）。
【請求項５】
前記ロック解除位置および前記ロック位置が、それぞれ、前記係合軸（Ｅ）に沿う前記カムボディ（１００）の突出位置および後退位置を備える請求項１に記載のラインコネクタ（１）。
【請求項６】
前記ラインコネクタ（１）が、前記ロック解除位置において、前記カムボディ（１００）に対して前記係合軸（Ｅ）に沿う力を加えることにより、前記取り付け機構（１４９）を開けることができるように構成される請求項１に記載のラインコネクタ（１）。
【請求項７】
前記係合軸（Ｅ）に沿う前記カムボディ（１００）に加えられる前記力が、挿入された差込み部（Ｓ）の取り外し方向である請求項６に記載のラインコネクタ（１）。
【請求項８】
前記カムボディ（１００）および前記第１の動作要素（５０）を一体に押し込むことにより前記取り付け機構（１４９）が開けられ得、それにより前記第１の動作要素（５０）が、前記第２の動作要素（８０）と比較して、前記差込み部（Ｓ）のための挿入開口部（８）の方に配置される、請求項２に記載のラインコネクタ（１）。
【請求項９】
前記ロック位置では、前記取り付け機構（１４９）が、前記カムボディ（１００）と前記第１の動作要素（５０）との間での協働により開けられることが防止され、それにより前記第１の動作要素（５０）が、前記第２の動作要素（８０）と比較して、前記差込み部（Ｓ）のための挿入開口部（８）の方に配置される請求項２に記載のラインコネクタ（１）。
【請求項１０】
前記取り付け機構（１４９）が少なくとも１つのフック部分（１１３）を備える請求項１に記載のラインコネクタ（１）。
【請求項１１】
前記ラインコネクタ（１）が、前記少なくとも１つのフック部分（１１３）の移動を介して、前記取り付け機構（１４９）を開けることができるように構成される請求項１０に記載のラインコネクタ（１）。
【請求項１２】
前記少なくとも１つのフック部分（１１３）の移動が径方向外向きの方向である請求項１１に記載のラインコネクタ（１）。
【請求項１３】
前記ラインコネクタ（１）が、具体的には径方向外側への移動である、前記ロック位置にある前記少なくとも１つのフック部分（１１３）の移動を阻害するように構成される請求項１０または１１に記載のラインコネクタ（１）。
【請求項１４】
前記第１の動作要素（５０）が、前記ロック解除位置において前記少なくとも１つのフック部分（１１３）を変位させることが可能な空間を有する請求項９に記載のラインコネクタ（１）。
【請求項１５】
前記少なくとも１つのフック部分（１１３）が少なくとも１つの傾斜領域を備える請求項９に記載のラインコネクタ（１）。
【請求項１６】
前記カムボディ（１００）が、前記差込み部（Ｓ）を前記ラインコネクタ（１）から取り外すときに、挿入された差込み部（Ｓ）の外側表面の上の突出部（２００）により少なくとも１つの傾斜領域（１２０）を支承することができるように構成および配置される少なくとも１つの傾斜領域（１２０）を備える請求項１に記載のラインコネクタ（１）。
【請求項１７】
前記カムボディ（１００）が、前記差込み部（Ｓ）を前記ラインコネクタ（１）の中に挿入するときに、挿入されることになる前記差込み部（Ｓ）の外側表面上の突出部（２００）により少なくとも１つの傾斜領域（１１９）を支承することができるように構成および配置される少なくとも１つの傾斜領域（１１９）を備える、請求項１に記載のラインコネクタ（１）。
【請求項１８】
前記カムボディ（１００）が、前記取り付け機構（１４９）を作動させるための当接部（１２２）を備えるとともに、前記カムボディ（１００）を前記第１の動作要素（５０）に対して押圧するときに前記第１の動作要素（５０）を支承するように構成される請求項１に記載のラインコネクタ（１）。
【発明の詳細な説明】
【技術分野】
【０００１】
本発明は、流体コネクタの分野に関し、詳細には、ラインコネクタに関する。
【背景技術】
【０００２】
ラインコネクタは、通常、導管を、具体的には導管の差込み部を、例えば流体ラインなどの、所望のロケーションに接続するのに使用される。ラインコネクタは、差込み部のためのインレットと、例えばモミの木の幾何形状を有するアウトレットとを有する。
【０００３】
従来技術のコネクタは、特にロック・ロック解除機構を備えるような場合、使用することが非常に複雑になる可能性がある。このようなコネクタは、通常、空間が密である場所である機械または車両の領域内で利用され、ラインコネクタを動作させるためには（例えば、ラインコネクタをロック解除するためには）、使用者がこの密な空間の中まで手を伸ばしてロック解除機構を作動させることを試みることが必要となる。これは、通常、ラインコネクタの特定の部分を押圧して保持しながらさらに同時に差込み部を引っ張ることを伴う。これは例えば車両の内部で作業を行う場合などでは特に、調整することが困難である可能性がある。
【０００４】
理想的には、より単純な方法で、コネクタを係合させたり外したりする、つまりロックしたりロック解除したりすることが可能である。具体的には、使用者が密な空間内で複雑な機構を動作させたり、または、ラインコネクタの他の部分を引っ張りながら同時にラインコネクタの特定の部分を押圧したりする必要がない方法である。ロック解除機構またはロック機構を作動させるときにコネクタの任意の部分を操作者が保持するのを可能にするようなコネクタが存在すれば、当技術分野において大きな前進となる。
【０００５】
これにより全体としてラインコネクタを使用することがより容易になることに加えて、より単純な機構を提供することで、製造業者が、コネクタを利用することになるエリアにおいてある程度の空間を提供する必要がなくなることを意味することもある。これは、例えばスペースが貴重であり、部品の組み立てがより複雑であるような現代の車において特に有利となる。
【発明の概要】
【課題を解決するための手段】
【０００６】
したがって、本発明は、コネクタの様々な部分を同時に押したり引いたりする必要とすることなく動作させられ得る、より単純なラインコネクタを提供することを対象とし、このラインコネクタは別法として、他には使用することが特に単純である。同時に、ラインコネクタが、ラインコネクタの中に差込み部を堅固に係合させるかまたはロックすることができる効果的である堅固な係合機構またはロック機構を有さなければならない。このようなコネクタはまた、可能である場合、その製造において、単純でコスト効率の高いものでなければならない。
【０００７】
本発明の一態様によると、導管の差込み部のためのインレットと、アウトレットとを備えるハウジングを有するラインコネクタが提供され、ラインコネクタが、挿入位置において差込み部を着脱自在に保持するための係合機構を有し、係合機構が係合軸を囲む。係合機構が：変換機構と、係合軸に沿ってかつ係合軸の周りで変換機構を基準として移動可能となるように構成されるとともに、導管のための取り付け機構を備えるカムボディと、を備え、それにより、変換機構およびカムボディが、変換機構に対してのカムボディの係合を介して係合軸に沿うカムボディのモーションを、係合軸を中心とするカムボディの回転モーションへと変換するように、構成され、またそれにより、変換機構が、カムボディの様々な回転位置においてカムボディによりロック解除位置およびロック位置を占有するのを可能にするように構成され、ロック解除位置では、取り付け機構がラインコネクタから差込み部を解放するためにロック解除され得、ロック位置では取り付け機構がロックされる。
【０００８】
ラインコネクタの他の実施形態が、個別の形でまたは技術的に実現可能である任意の組み合わせの形で、以下の追加の特徴を有することができる。
【０００９】
変換機構が、係合軸に沿うかつ係合軸の周りでの移動に対して固定され得る第１の動作要素および第２の動作要素を備え、それにより、カムボディが、第１の動作要素と第２の動作要素との間で、係合軸に沿ってかつ係合軸に周りで移動可能に配置される。
【００１０】
第２の動作要素およびカムボディが、第２の動作要素に対してのカムボディの係合を介して、係合軸に沿うカムボディの線形モーションを、係合軸を中心とするカムボディの回転モーションへと変換するように、構成され、それにより、第１の動作要素が、カムボディの様々な回転位置においてカムボディによりロック解除位置およびロック位置を占有するのを可能にするように構成され、ロック解除位置では取り付け機構がロック解除され得、ロック位置では取り付け機構がロックされる。
【００１１】
第１の動作要素およびカムボディが、第１の動作要素に対してのカムボディの係合を介して、係合軸に沿うカムボディの線形モーションを、係合軸を中心とするカムボディの回転モーションへと変換するように、構成される。
【００１２】
ロック解除位置およびロック位置が、それぞれ、係合軸に沿うカムボディの突出位置および後退位置を備える。
【００１３】
ラインコネクタが、ロック解除位置において、好適には挿入された差込み部の取り外し方向において、カムボディに対して係合軸に沿う力を加えることにより、取り付け機構を開けることができるように構成される。
【００１４】
カムボディおよび第１の動作要素を一体に押し込むことにより取り付け機構が開けられ得、それにより第１の動作要素が、第２の動作要素と比較して、差込み部のための挿入開口部の方に配置される。
【００１５】
ロック位置では、取り付け機構が、カムボディと第１の動作要素との間での協働により開けられることが防止され、それにより第１の動作要素が、第２の動作要素と比較して、差込み部のための挿入開口部の方に配置される。
【００１６】
取り付け機構が少なくとも１つのフック部分を備える。
【００１７】
ラインコネクタが、好適には径方向外側の方向における少なくとも１つのフック部分の移動を介して、取り付け機構を開けることができるように構成される。
【００１８】
ラインコネクタが、具体的には径方向外側への移動である、ロック位置にある少なくとも１つのフック部分の移動を阻害するように構成される。
【００１９】
第１の動作要素が、ロック解除位置において少なくとも１つのフック部分をその中へと変位させることができる空間を有する。
【００２０】
少なくとも１つのフック部分が少なくとも１つの傾斜領域を備える。
【００２１】
カムボディが、差込み部をラインコネクタから取り外すときに、挿入された差込み部の外側表面の上の突出部により少なくとも１つの傾斜領域を支承することができるように構成および配置される少なくとも１つの傾斜領域を備える。
【００２２】
カムボディが、差込み部をラインコネクタの中に挿入するときに、挿入されることになる差込み部の外側表面上の突出部により少なくとも１つの傾斜領域を支承することができるように構成および配置される少なくとも１つの傾斜領域を備える。
【００２３】
カムボディが、カムボディを第１の動作要素に対して押圧するときに第１の動作要素を支承するように構成される取り付け機構を作動させるための当接部を備える。
【００２４】
導管の差込み部のためのインレットと、アウトレットとを備えるハウジングを有するラインコネクタであって、ラインコネクタが、挿入位置において差込み部を着脱自在に保持するための係合機構を有し、係合機構が係合軸を囲むラインコネクタにおいて、本発明が、係合機構が：変換機構と、係合軸に沿ってかつ係合軸の周りで変換機構を基準として移動可能となるように構成されるとともに導管のための取り付け機構を備えるカムボディと、を備え、それにより、変換機構およびカムボディが、変換機構に対してのカムボディの係合を介して、係合軸に沿うカムボディのモーションを係合軸を中心としたカムボディの回転モーションへと変換するように構成され、またそれにより、係合機構が、カムボディの様々な回転位置においてカムボディによりロック解除位置およびロック位置を占有するのを可能にするようにさらに構成され、ロック解除位置では、取り付け機構がラインコネクタから差込み部を解放するためにロック解除され得、ロック位置では取り付け機構がロックされる、ということにある。
【００２５】
このようなラインコネクタでは、最も重要な側面が変換機構の存在であり、この変換機構が、具体的にはその差込み部などの、導管の線形モーションにより、差込み部に取り付けられたカムボディの回転モーションを発生させるのを可能にする。この係合機構が、カムボディの様々な回転位置においてカムボディによりロック解除位置およびロック位置を占有するのを可能にするように構成されることを理由として、カムボディを取り付けるところの差込み部の線形モーションを実現することにより単純な形で取り付け機構をロックおよびロック解除することが可能となる。単一部品の単純な線形モーションは両手を使用することを必要としないことから、片手のみを使用してラインコネクタが如何にしてロックおよびロック解除され得るかが理解されよう。例えば、ラインコネクタがその所望の位置に配置され得（例えば、取り付けポイントに固定される）、導管が、係合機構を作動させるために、単純な形で、ラインコネクタの中に押し込まれて線形に移動させられ得る。
【００２６】
カムボディが２つの主要な機能を有する。第１の機能がラインコネクタの中に差込み部を取り付けるように機能することである。カムボディと差込み部との間での取り付けを実現するこの能力は、それ以外の場合ではラインコネクタから差込み部を単純に引っ張り出してしまう可能性があることを理由として、重要な能力である。第２の狙いが変換機構と協働してロック部分として機能することであり、その結果、特定の位置のみにおいて差込み部を取り外すことが可能となる。本発明では、カムボディの回転を介してこれらの位置に到達する。
【００２７】
好適には、カムボディが導管のボディの周りで回転することができ、それにより、ロック位置およびロック解除位置に入るようにカムボディが回転させられるときに導管が確実に捻じられないようになる。導管自体を捻じる場合、導管において流体を通過させることが可能とならないことから、不利である。わずかな量の捻じれでは高い可能性で導管がおそらく遮断されることにはならないことが分かることから、導管自体を回転させるところの機構は本出願の焦点ではない。このため、取り付け機構が、導管の周りでカムボディを回転させるのを可能にするように構成され得る。
【００２８】
変換機構が複数の手法で具体化され得る。本発明者によって発見された特に有利な実施形態は、ラインコネクタ内に配置される傾斜部分またはスロープ領域を使用することであり、その結果、ラインコネクタに接触した状態でのカムボディのモーションによりカムボディが回転することになる。このようにして、カムボディが線形に移動してスロープ表面に接触するとき、スロープ表面がウェッジとして機能することができ、それによりカムボディの移動方向を変化させ、言い換えると、線形モーションの方向に対して垂直である移動成分を加える。このようにして、カムボディが、駆動されてスロープ領域に接触するときに一定量回転させられることが可能となる。考えられる他の実施形態では、コイルばねを緩める（ｕｎｒａｖｅｌ）ような線形モーションを利用することを伴う可能性がある（それにより、回転モーションが加えられる）。他の例には、ねじ状の部分（ｔｈｒｅａｄｅｄ  ｓｃｒｅｗ−ｌｉｋｅ  ｐｏｒｔｉｏｎ）、または傘歯車のシステム、あるいはラック・ピニオン・タイプのシステムが含まれてよい。当業者であれば、線形モーションを回転モーションへと変換するという必要とされる効果を達成するのに使用され得る他の機構に精通している可能性がある。
【００２９】
係合機構によりロック位置およびロック解除位置を提供することには、やはり複数の実装手段がある。本発明者によって発見された最も好都合な手法は、１つの回転位置において、カムボディの取り付け機構が自由に開閉することができ、対して別の１つの回転位置において、変換機構の要素により取り付け機構が開くことが阻止される、のを実現することである。しかし、これが、１つの回転位置（ロック位置）においてカムボディの突出部をハウジングの凹部に対合させ、対してロック解除位置において係合させないことにより、達成され得ることも考えられる。当業者であれば他の適切なロック機構にも精通している可能性がある。
【００３０】
変換機構がハウジングに固定され得、その結果、回転運動およびその係合軸に沿う移動が防止される。これにより、スロープ領域を採用する実施形態の場合、回転することを目的としてカムボディが変換機構を支承することができるのを保証することにより、機構の効果が向上する。仮に変換機構が係合軸を中心として回転運動することができるかまたは係合軸に沿って長手方向に移動することができるようないずれかの場合、導管の線形モーションが変換機構の線形モーションしか発生させることができず、カムボディの回転運動につながるようなカムボディの線形モーションを発生させることができない。固定は、例えば、一般的な、スナップ・イン接続、接着剤、または押し込み接続（ｆｏｒｃｅ  ｃｏｎｎｅｃｔｉｏｎ）によって達成され得る。
【００３１】
取り付け機構が、好適には、カムボディに接触した状態での線形移動に関して導管を堅固に固定しなければならず、それにより係合機構が可能な限り効果的に動作することができるようになる（具体的には、その結果、導管の線形モーションが最も効果的にカムボディの線形モーションへと移行される）。
【００３２】
本発明の好都合な実施形態では、変換機構が、第１の動作要素と、第２の動作要素とを備え、ここでは、第１の動作要素および第２の動作要素が係合軸に沿う移動および係合軸を中心とした移動に関して固定され得、ここでは、カムボディが第１の動作要素と第２の動作要素との間を係合軸に沿って移動可能となるように構成される。この実施形態では、ロック解除およびロックが、有利には、カムボディ（およびひいては導管）の単純な前後のモーションによって達成され得る。その理由は、カムボディが変換機構の第１の動作要素と第２の動作要素との間に構成されるからである。
【００３３】
別の好都合な実施例では、第２の動作要素およびカムボディが、第２の動作要素に対してのカムボディの係合を介して、係合軸に沿うカムボディの線形モーションをカムボディの回転モーションへと変換することになるように、構成され、ここでは、第１の動作要素が、カムボディの様々な回転位置においてカムボディによりロック解除位置およびロック位置を占有するのを可能にするように、構成され、ロック解除位置では、取り付け機構がロック解除され得、ロック位置では取り付け機構がロック解除され得ない。
【００３４】
この実施形態はカムボディをロック位置から外すための前方への線形モーションを可能にすることができ、この前方への線形モーションが第２の動作要素に対しての係合によりカムボディの回転モーションも実現し、次いで導管およびカムボディの後続の後方への線形モーションが起こり、ここでは、カムボディが第１の動作要素によりさらに回転させられることなくロック解除位置へと送られる。したがって、カムボディがロック位置またはロック解除位置に到達することにおいて経る必要のある回転モーションが低減され、それにより様々な係合位置に到達する時間が短縮され、摩耗が低減される。
【００３５】
別の発展形態では、第１の動作要素およびカムボディが、第１の動作要素に対してのカムボディの係合を介して、係合軸に沿うカムボディの線形モーションをカムボディの回転モーションへと変換するように、構成される。ここでは以下のことが当てはまる：カムボディをロック位置から外すために前方への線形モーションが起こり、この前方への線形モーションが第２の動作要素に対しての係合によりカムボディの回転モーションも実現し、次いで導管およびカムボディの後続の後方への線形モーションが起こり、これにより、第１の動作要素との係合をさらに介して、カムボディがさらに回転させられてロック解除位置に入ることができるようになる。この追加の回転モーションは、選択される変換機構の実装において作用させる必要のある力が小さい場合（スロープの傾斜がきつい、など）に有用となり得、これは、可能となる回転量との引き換えで実現され得る。したがって、第２の動作要素を介してカムボディが要求位置に到達するためには、さらなる回転が必要となる可能性がある。
【００３６】
有利には、ロック解除位置およびロック位置が、それぞれ、係合軸に沿うカムボディの突出位置および後退位置を含む。突出位置はハウジングにより入り込んでいてよく、後退位置はハウジングからより外れていてよい。これにより、それぞれの位置が互いに明確に分離されることが保証され、それにより、ロック位置からロック解除位置へとまたはその逆で誤ってカムボディの位置をずらす可能性のある過度に大きい力が加えられる可能性が低減される。また、ラインコネクタがロック状態にあるのかどうかを使用者が導管の位置から認識することが可能となり、これは例えばラインコネクタを基準とした導管上の印の位置から認識することが可能である。
【００３７】
好都合なデザインにより、ロック解除位置において、好適には挿入された差込み部の取り外し方向において、カムボディに対して係合軸に沿う力を加えることにより取り付け機構を開けるのを可能とするようにラインコネクタを構成することが実現される。したがって、ロック解除位置において、導管が単純にコネクタから抜けることが可能とならない。むしろ、この取り付け機構は、使用者が積極的に導管をコネクタから引っ張り出すまで、導管を保持するような機構である。さらに、カムボディが導管に取り付けられることを理由として、他の部品またはツールではなく、導管自体が取り付け機構を開けるのに直接に使用され得る。
【００３８】
別の発展形態では、取り付け機構が、カムボディおよび第１の動作要素を一体に押し込むことにより開けられ得、それにより第１の動作要素が、第２の動作要素と比較して、導管挿入開口部の方に配置される。これには本質的に、取り付け機構を開けることを目的として導管が第１の動作要素に接触した状態で導管の取り外し方向に引かれるようになるという効果があり、これは、ラインコネクタから導管を取り外すのに、取り付け機構を開けるのに使用されるのと同じ力およびモーションが使用され得る、ということを意味する。
【００３９】
好適には、ロック位置では、取り付け機構が、カムボディと第１の動作要素との間での協働により開けられることが防止され、それにより第１の動作要素が、第２の動作要素と比較して、挿入開口部の方に配置される。１つの有利な態様は、アクセスするのをより困難にする可能性のある形でハウジングの内部領域を機械加工するのとは対照的に、上記協働を可能にするのに適するように第１の動作要素を機械加工するのをより容易なものとすることができることである。このような協働は、例えば、第１の要素が取り付け機構を開けるのを防止するために取り付け機構を囲むものであってよいか、またはカムボディ上のスナップ・イン要素が第１の動作要素上のスナップ・イン要素に係合されるものであってよい。
【００４０】
しかし、ロック位置において、カムボディとハウジングとの間での協働により取り付け機構が開くことが防止されることも考えられる。例えば、これは、１つの回転位置において、カムボディおよびハウジングがインターロック機構を介して一体に対合してその結果カムボディが開けられ得ないようになる、というものであってもよい。別の回転位置では、カムボディがこのようなインターロック機構から解放され得、その結果取り付け機構が開けられ得るようになる。この機構は、導管に対してより大きい力が加えられるような状況において好都合となり得る。その理由は、ハウジングがいかなる挿入部品よりも概して厚くて大きく、したがってロック位置において取り付け機構に対してより大きい力が加えられるのをサポートすることができるからである。
【００４１】
理想的には、取り付け機構がインターロック機構である。このような機構は効果的であり、例えば接着機構とは対照的に容易に解放され得る。好都合なデザインの１つの例として、取り付け機構が少なくとも１つのフック部分を備えるというものがある。
【００４２】
一態様では、ラインコネクタが、好適には径方向外側の方向における、少なくとも１つのフック部分の移動を介して、取り付け機構を開けることができるように、構成される。フック部分の移動は、カムボディのモーションを介して実現されるような単純な形となり得る。さらに、径方向内側の方向または軸方向よりも径方向外側の方向においてより大きい空間が存在し、そこに導管自体が位置することになる。
【００４３】
理想的には、例えば第１の動作要素である、ラインコネクタが、ロック位置にある少なくとも１つのフック部分の移動を阻害するように、また具体的には径方向外向きの移動を阻害するように、構成される。このようにして、ラインコネクタまたは第１の動作要素が受動的なロック手段として機能することができる。これが、取り付け機構のフック部分をロック位置から大きく開けるのを阻止するような内壁を第１の動作要素が備えることにより、達成され得る。このようにして、少なくとも１つのフック部分が第１の動作要素の内側領域によって取り囲まれる。この領域の壁の内側プロファイルは、フック部分の外側プロファイルに実質的にまたは完全に適合していてよい。
【００４４】
別の実施例では、第１の動作要素が、ロック解除位置において少なくとも１つのフック部分をその中へと変位させることができる空間を有する。このようにして、ロック解除位置が、単純に、材料の１セクションを除去することのみによって作られ得、これは一般的に入手可能であるツールを使用して実行することが困難ではない。この空間は、第１の動作要素の内壁内に形成される内側凹部であってよい。好適には、各々のフック部分のために空間が提供される。好適には、ロック位置ではこのような空間が存在しない。
【００４５】
種々の部品を互いに移動させるときの摩耗を促進する可能性のある縁部または鋭利な表面の存在を最小にすることを目的として、少なくとも１つのフック部分が少なくとも１つの傾斜領域を備える。
【００４６】
理想的には、例えばフック部分などの、カムボディが、導管をラインコネクタから取り外すときに、挿入された導管の外側表面の上の突出部により少なくとも１つの傾斜領域を支承することができるように、構成および配置される少なくとも１つの傾斜領域を備える。これにより、摩耗の影響が低減されることに加えて、取り付け機構を開けるためのフック部分の径方向の移動を引き起こすための効果的な手法が実現され、それにより係合軸に沿った導管の軸方向の移動を介して導管を取り外すことが可能となる。言い換えると、少なくとも１つの傾斜領域がカムボディの取り付け領域内に設けられ得、例えば内側領域内に設けられる。
【００４７】
例えばフック部分などの、カムボディが、導管をラインコネクタの中に挿入するときに、挿入されることになる導管の外側表面上の突出部により少なくとも１つの傾斜領域を支承することができるように、構成および配置される少なくとも１つの傾斜領域を備えるかどうかがさらなる利点である。これにより、摩耗の影響が低減されることに加えて、係合軸に沿う導管の軸方向の移動を介する形での、導管を挿入することを目的として取り付け機構を開けるための脚部の径方向の移動を引き起こすための効果的な手法が実現され、言い換えると、少なくとも１つの傾斜領域がカムボディの外側表面のところに形成され得、好適にはカムボディの前側に形成され得る。
【００４８】
別の実施例では、カムボディが、例えば係合軸に沿って、カムボディを第１の動作要素に接触させた状態で押圧するときに第１の動作要素を支承するように構成される、取り付け機構を作動させるための当接部を備える。適切に配置される専用の当接部が、本質的にレバーとして機能することにより、非常に効果的な開放力（ｏｐｅｎｉｎｇ  ｆｏｒｃｅ）を発生させることができる。これにより、導管をロック解除位置から取り外すことを目的として加えなければならない引っ張り力を低減することができる。当接部は突出部であってよく、本出願で突出部という用語が使用される場合、技術的に実現可能である場合には可能性のある当接部を包含するものであることを理解されたい。当接部は、理想的には、導管の取り外し方向に対して垂直に延在し（言い換えると、係合軸に対して垂直に延在し）、その結果、力モーメント（ｆｏｒｃｅ  ｍｏｍｅｎｔ）が最大化される。加えて、当接部がより大きく延在することで、加えられる力が大きくなる。そのため、当接部がハウジングの壁の少なくとも半分は延在する場合に有益となり得、好適には少なくとも４分の３は延在し、最も好適にはハウジングの壁の全体を延在する（カムボディの移動を阻害しないようにするために、当接部とハウジングとの間にわずかな隙間が残されることになることを理解されたい）。
【００４９】
有利には、取り付け機構が、カムボディの内側領域のところに配置される凹部を備える。これは、カムボディをロック位置で定着させるためのインターロック機構の一部として機能するのに適し得る。これにより、カムボディに対して導管を定着させることを目的として導管上の対応する突出部を適切な形で受け入れることが実現され得る。凹部は好適には円周状の凹部であり、その結果、導管の周りでカムボディが回転することが阻害されなくなり、さらにその結果、導管がその円周全体の周りで定着させられ得る。これにより、力が均等に加えられるようになり、分応力の発生の可能性および分応力の深刻度を低減することが保証される。
【００５０】
スロープ領域
本出願では、変換機構のいくつかの実施形態が上で言及したようにスロープ領域を利用する。下記はスロープ領域の態様の概略的な考察であり、この考察の主題は、スロープ領域を利用するかまたは利用することができるすべての事例および部品に適用され得る。具体的には、これには、変換機構、第１の動作要素、および第２の動作要素が含まれてよいが、他の実施形態ではハウジングおよびカムボディも含まれてよい。
【００５１】
「第１のスロープ領域」および「第２のスロープ領域」という用語は、係合のためのアクセス経路（ｅｎｇａｇｅｍｅｎｔ  ａｃｃｅｓｓ）に沿う線形モーションを介してカムボディの回転モーションを引き起こすことを目的としてカムボディに接触されるスロープ領域を意味するものとして理解される。この特定の目的に対して技術的に寄与しない他のスロープ領域が存在することも考えられる。これらの領域は「第１のスロープ領域」および「第２のスロープ領域」という用語によって包含されることを意図されるものではない。さらに、「スロープ領域」という用語は「スロープ表面」を意味してもよい。
【００５２】
スロープという用語は表面勾配の変化を表すのに使用され得、この表面勾配は線形であっても非線形であってもよく、または一定であっても一定ではなくてもよい。具体的には、スロープが傾斜する平面表面によって形成される必要はなく、湾曲表面によって形成されてもよい。「時計回り」または「反時計回り」という用語が使用される場合、必ずしもそうである必要はないが、これは円の形状を暗に示すことができる。代わりに、これは単純に、例えば正方形または長方形の形状での、時計回りのまたは反時計回りの運動の任意の経路を意味するものであってもよい。
【００５３】
スロープ勾配は、カムボディをどの程度まで回転させなければならないかに応じて、または回転を引き起こすのにどの程度の力を必要としなければならないかに応じて、選択され得る。具体的には、例えば５度から１５度の間といったように、係合軸を基準としてスロープによって形成される鋭角が小さい場合、線形モーションと比較して回転成分または回転量が比較的小さくなる。他方の極端な事例として、例えば８５度から７５度といったように、係合軸を基準としてスロープによって形成される鋭角が大きい場合、回転成分または回転量が比較的大きくなる。後者の事例では、回転モーションを引き起こすのに必要となる力は前者の事例よりも大幅に大きくなる。前者の事例では力が大幅に小さくなるが、これは回転が小さくなるということを犠牲にする。本出願の目的のために、本発明者らが、係合軸を基準とした６０度から８０度の範囲内にある鋭角が最も好適であることを発見した。
【００５４】
回転方向が係合軸周りでのスロープ方向によって決定されることも理解されたい。言い換えると、スロープが時計回り方向において下向きスロープ成分を有する場合、時計回り方向の回転がもたらされ得る。
【００５５】
好適には、第２の動作要素が第２のスロープ領域を備える。これは、カムボディおよび導管が第２の動作要素に対して押されるときにカムボディの回転が達成され得る、ということを意味する。
【００５６】
より好適にはさらに、第１の動作要素が第１のスロープ領域を備え、第２の動作要素が第２のスロープ領域を備える。このようにして、導管によりカムボディが第１の動作要素および第２の動作要素に対して押圧されるときにカムボディの回転が引き起こされる。
【００５７】
理想的には、スロープ領域の向きが、これらのスロープ領域に接触するカムボディの部品の追従する経路に対応する（例えば、円形経路の事例では、スロープ領域が円形経路を追従することなる）。理想的には、第１のスロープ領域が係合軸に沿って同じ方向に傾斜し、第２のスロープ領域が係合軸に沿って同じ方向に傾斜する。
【００５８】
好適には、第１の動作要素の上側から見て第１のスロープ領域が時計回り方向の下り勾配を有し、第２の動作要素の上側から見て第２のスロープ領域が反時計回り方向の下り勾配を有する。もちろん、第１のスロープ領域が反時計回り方向であってもよく、この実施形態では第２のスロープ領域が時計回り方向であってよい。これにより、カムボディが２つの異なる位置の間で往復する形で回転するのではなく常に同じ方向に回転することが保証される。しかし、いくつかの状況では往復する形で回転することが所望される可能性もある。第１および第２の動作要素がハウジング内に存在する場合にこの構成が適用され得る。
【００５９】
好適には、変換機構（第１の動作要素および／または第２の動作要素を備えることができる）ならびにカムボディが、係合軸に沿うカムボディのモーションを変換機構により（つまり、第１の動作要素もしくは第２の動作要素のいずれかによるかまたはその両方による）係合軸を中心としたカムボディの回転モーションへと変換するのを常に可能にするように、配置および構成される。言い換えると、第１の動作要素および第２の動作要素が、ラインコネクタの通常動作を介してカムボディを１つの位置に置くことがないようにするために、構成され得る。スロープが存在しない場合つまり停止部のみが存在する場合、ラインコネクタの通常動作では、第１の動作要素または第２の動作要素に向かう線形モーションによりカムボディが１つの位置に置かれることになり、その結果、回転モーションが作動され得ない。そうではない場合、使用者が手動で介入することが必要となる可能性がある。
【００６０】
これを達成するためには、第１の動作要素および第２の動作要素の両方がスロープ領域を備える事例では、スロープ領域が係合軸周りにおいて互いに互い違いであってよい。第２の動作要素のみがスロープ領域を備え、第１の動作要素がスロットおよび／または停止部を備える事例では、スロープ領域が停止部および／またはスロットと互い違いであるべきである。
【００６１】
カムボディ
このセクションは、カムボディの、およびカムボディに関連する、有利な、実施形態、構成、および構造を説明する。
【００６２】
カムボディが、背面側（ハウジング内にあるカムボディの場合においてハウジングの中の方を向いているように配置される）と、前方側（背面側の反対側に配置される）と、（径方向）外側、および（径方向）内側とを有することができる。
【００６３】
カムボディが土台を備えることができ、土台が中央部分として機能することができ、他の部分がこの中央部分に取り付けられ、これらの部分がこの中央部分から分岐している。いくつかの実施形態では、土台がカムボディの背面側にところに配置される。土台は理論的に任意の形状を有することができるが、本発明者は、リング形状が好都合であることを見出した。リングは容易に機械加工され得るものであり、その中央を介して導管を容易に堅固に受け入れることができるという利点も有する。
【００６４】
カムボディが導管のための取り付け機構を備える。取り付け機構が、例えば、スナップ・イン接続または形状接続の一部を形成することができる少なくとも１つの脚部を備えることができる。取り付け機構が複数の脚部を備える場合、これらの脚部が土台周りで互いから等しい距離のところに配置され得る。本発明者らが４つの脚部が特に適切となり得ることを見出したが、もちろん他の数も可能である。
【００６５】
少なくとも１つの脚部が、スナップ・イン接続を介して、または接着剤を介して、土台に接合され得るか、あるいは少なくとも１つの脚部が例えば土台と共に単一部片として形成され得る。
【００６６】
いくつかの実施形態では、少なくとも１つの脚部が、挿入されることになる導管の外側表面上の突出部を受け入れるのに使用される凹部を有する。少なくとも１つの脚部が、少なくとも１つの脚部を定着させることを目的として、挿入されることになる導管に掛止される形で使用されるフック部分をさらに備えることができる。重要な実施例では、カムボディが、挿入されることになる導管の周りで回転可能となるように構成され、それにより上記導管が不必要に捻じられることが防止される。これは、いくつかの例では、カムボディが、カムボディの内周の大部分にわたって延在する（好適には、全円周にわたって延在する）円周状の内側凹部を備えることにより、達成され得る。カムボディが複数の脚部を有するような事例では、各脚部が、上記円周状の凹部の一部分を形成する凹部を有することができる。
【００６７】
取り付け機構が、例えば径方向外向きの方向に、またはカムボディの中心軸に対して実質的に垂直である方向に、開くように湾曲するように構成され得る。したがって、好適には、中心軸の方向におけるカムボディの端部（好適には、第１の端部）が、好適には取り付け機構の領域において、円周方向において分割され、それにより取り付け機構が径方向外側に開くことが可能となる。
【００６８】
具体的には、少なくとも１つの脚部が凹部および／またはフック部分を備え、径方向外外側に湾曲するように構成され得る。好適には、この湾曲が、脚部が土台に接合されているところのポイントから生じる。しかし、脚部全体が湾曲するように構成されてもよい。
【００６９】
例えば少なくとも１つの脚部である取り付け機構が、少なくとも１つの傾斜領域を備えることができる。この傾斜領域が、導管を取り付け機構に挿入するかまたは導管を取り付け機構から取り外すときの摩耗の影響を低減するように機能することができる。この傾斜領域はまた、導管の挿入および取り外しのために機構を開けることを目的として取り付け機構を径方向外側に湾曲させるのをより容易に促進するように機能する。少なくとも１つの脚部が、そのフック部分の領域内に内側傾斜表面または外側傾斜表面を備えることができ、これらが例えばカムボディの中の方を向くかまたは外の方を向く。好適には、上記傾斜表面が、各々の脚部のために、円周方向において脚部全体にわたって延在し、その結果、導管が挿入されているかまたは引っ張り出されているところの場所が重要ではなくなる。
【００７０】
脚部のフック部分が、例えば取り付け機構から導管を引っ張り出すのを防止することを目的として、導管を取り付け機構の中に掛止するという１つの機能を有する湾曲部を有することができる。脚部のフック部分が、中心軸に実質的に平行であるスロート領域をさらに有することができる。別法として、スロート領域が中心軸に対してのわずかな傾斜部分を有することができ、その結果、導管が取り付け機構の中に挿入された後、この傾斜部分が導管を取り付け機構の中へとさらに付勢するために導管を支承する。この支承力は、導管の挿入後に少なくとも１つの局部が反対に湾曲して非湾曲位置に戻ることによって提供され得る。
【００７１】
取り付け機構が、少なくとも１つの脚部の、前方側の領域内に含まれ得る。別法として、取り付け機構が、少なくとも１つの脚部の、前方側と背面側との間の中央領域内に含まれ得る。取り付け機構が径方向外側に湾曲するような実施形態では、通常、湾曲ポイントからより離れている端部のところでより大きい移動が達成され、それにより取り付け機構がより容易に開くようになる。別法として、脚部の中央に近づくと、取り付け機構をさらに湾曲させるのに必要となる力がより増大し、それによりこの領域において取り付け機構がより堅固となる。取り付けの要求条件に応じて、様々な位置が選択され得る。
【００７２】
少なくとも１つの脚部が、カムボディの中心軸に沿って延在する接合部片により土台に接合され得る。この部片が脚部の軸方向の延在量を増大させ、径方向において湾曲量を増大させるのを可能にし得る。少なくとも１つの脚部が径方向延在部分をさらに備えることができ、径方向延在部分の１つの機能が、上記導管が移動して取り付け機構から外れるのを防止することを目的とした、取り付けられた導管の突出部のための当接領域を提供することであってよい。別の機能が脚部の一部分を径方向外側にさらに変位させることであってよく、その結果、脚部のフック部分が逆方向である径方向内向きの方向において掛止されるための拡大した空間を有することになり、それにより接続の堅固性が向上する。
【００７３】
脚部が内側に構成される１つまたは複数のフランクを備えることができ、つまり円周方向における脚部の側面上に配置される１つまたは複数のフランクを備えることができる。フランクは円周状にも延在していてよく、導管に接触する脚部のエリアを延長することができ、それによりさらなる堅固性が得られる。具体的には、フランクが脚部のフック部分または脚部の凹部を円周方向において延長することができる。フランクがこの特定の領域のみを延長する場合、材料コストおよび重量が抑えられ得、取り付け機構の開く能力が改善され得る。好適には、各脚部が、脚部の向かう合う内側に構成される２つのフランクを備える。それにより、径方向に沿って脚部を見る場合、フランクが１つまたは複数の脚部に概略Ｔ形のプロファイルを与えることができる。
【００７４】
少なくとも１つの脚部の頂面が、脚部よりさらに径方向外側に延在するリップを備えることができる。少なくとも１つのリップが、例えばラインコネクタの内側からの大きい外力または高い圧力などの、大きい力を受けるときにハウジングからカムボディが引っ張り出されるのを防止するための安全措置として機能することができる。好適には、リップが円周方向において脚部全体にわたって延在する。リップは、第１の動作要素内に形成される例えばフランジである停止部を越えて径方向に延在するように形成され得、それにより第１の動作要素からカムボディが引っ張り出されるのを防止する。
【００７５】
導管を受けるカムボディの内側表面は好適には滑らかであり、つまり隆起部または非平坦エリアを一切有さない。好適には、脚部が、接合部片を介して、特には径方向外向きおよび径方向内向きに、可逆的にまたは弾性的に湾曲することができる。接合部片がポリマーで形成され得る。
【００７６】
一実施形態では、カムボディが、第１の動作要素に係合されるように配置される少なくとも１つの突出部を有する。好適には、少なくとも１つの突出部がカムボディの径方向外側表面上に配置される。径方向外側表面上に突出部を設けることにより、突出部がカムボディの放射中心（ｒａｄｉａｌ  ｃｅｎｔｒｅ）からより離れたところに配置されることにより、得られる力モーメントが増大し、カムボディ全体を回転させる能力が向上することが保証される。
【００７７】
カムボディが互いに向かい合うように配置されるこのような２つの突出部を有するときが有益である。これにより、カムボディが第１の動作要素を均等に支承することが保証される。
【００７８】
少なくとも１つの突出部が、突出部と第１の動作要素の第１の係合プロファイルとの間の接触を最も効果的なものとするためのおよび摩耗を低減することを保証するための特別なプロファイルを有することができる。具体的には、突出部が、第１の動作要素上の接触すべき領域と等しいプロファイルまたは構成を有する領域を有することができる。特定の事例では、この領域が、第１の係合プロファイルの第１のスロープ領域上に見られる傾斜度と等しい傾斜度を有する傾斜領域であってよい。
【００７９】
この同じ少なくとも１つの突出部がさらに、後で説明されるように、安全ラッチに係合されるように、また具体的には安全ラッチの突出部に係合されるように、構成され得る。
【００８０】
カムボディの少なくとも１つの突出部が、第１の動作要素上の接触すべき停止部と等しいプロファイルまたは構成を有するプロファイルを有する場合に有益である。具体的には、少なくとも１つの突出部の側面が、カムボディの回転の中心である中心軸に平行に延在していてよく、その結果、回転モーションの方向に対して正確に垂直である停止力が提供される。突出部の停止側面がさらに、停止側面と停止部との間の接触面積を最大にするように形成され得る。係合強度の要求条件に応じて、停止側面がさらに、第１の動作要素のスロープと同じ方向に延在する傾斜部分を有するように形成され得る。緩い嵌合が必要とされる場合、停止側面が、第１の動作要素のスロープとは反対方向に延在する傾斜部分を有するように形成され得る。
【００８１】
カムボディが、第２の動作要素に係合されるための、また具体的には第２の動作要素の第２の係合面に係合されるための、また好適には第２の動作要素の第２のスロープ領域に係合されるための、少なくとも１つの突起部を備える場合にさらに有益である。それにより、回転モーションを作動させるための専用の構成要素が提供される。
【００８２】
別のデザインでは、少なくとも１つの突起部が、中心軸に沿って土台を越えるように、およびひいてはラインコネクタの係合軸にも沿うように、延在するように構成される。係合軸自体に沿ってこのように延在することにより、回転モーションを開始するためにカムボディが移動する必要のある距離が縮小される。その理由は、突起部自体が第２の動作要素に接触する前に進む必要のある距離が低減されるからである。突起部の延在がカムボディの径方向外側領域からのものである場合に別の利益が得られる。その理由は、突出部に関連して上で説明したように、突起部がカムボディの中心軸からより離れたところにある場合にカムボディ上で得られる力モーメントがより増大するからである。これらを達成するために、少なくとも１つの突起部が対応するフック部分の後壁から延在していてよい。
【００８３】
有利には、少なくとも１つの突起部が、少なくとも径方向内向きの方向に湾曲することができるように構成される。後でさらに詳細に説明するように、少なくとも１つの突起部が、好適には、ハウジングのテーパセクションと協働するように構成され、その結果、カムボディがハウジングの中に押し込まれるときに突起部が径方向内側に湾曲させられることになる。このようにして、突起部が、係合軸に沿わせて第１の動作要素の方にカムボディを反対に駆動するためのばね要素として機能することができる。これによりデバイスの動作の使い勝手が向上する。加えて、使用者が導管を第２の動作要素の方向に駆動するときに抵抗を認識することになり、この抵抗が、使用者が導管をさらに押圧する必要があるという使用者に対しての信号として機能することができる。
【００８４】
しかし、カムボディをハウジングの中に挿入するときにカムボディによって支承される別個のばね要素を例えばハウジング内に設けることも考えられ得る。これにより、少なくとも１つの突起部の湾曲アクションと同様の効果が得られる。
【００８５】
少なくとも１つの突起部が、テール部分と、ボディ部分と、ヘッド部分とを備えることができる。テール部分が径方向内側に部分的に延在することができ、それによりばね力を発生させるのを補助することができる。その理由は、具体的には、これにより突起部のための２つ以上の曲げポイントが形成されるからである（第１の曲げポイントにおいてテール部分がカムボディに接合され、別の曲げポイントにおいてテール部分がボディ部分に接合される）。別の曲げポイントを提供することも考えられる。
【００８６】
ボディ部分が中心軸に平行に延在していてよい。このボディ部分は、したがって、突起部の軸方向延在量の大部分に寄与することができ、それにより第２の動作要素に対して突起部が接触するようになるまでにカムボディが移動する必要のある軸方向距離が縮小される。
【００８７】
ヘッド部分が第２の動作要素に接触するように構成され得る。具体的には、第１の先端部分を備えることができるヘッド部分のフィンガが第２の動作要素に接触するように構成され得る。第１の先端部分が、したがって、中心軸に沿う（つまり、係合軸に沿う）方向を指すように構成され得る。この先端部分が、第２の動作要素上のスロープ領域の傾斜部分に適合するように形成され得る傾斜部分を有する。ヘッド部分が、突起部を湾曲させるためにハウジング内のテーパセクションに接触するように構成され得る第２の先端部分をさらに備えることができる。第２の先端部分が、したがって、テーパセクションの傾斜部分に適合する傾斜部分を有することができる。
【００８８】
理想的には、カムボディが第１の動作要素内で軸方向に摺動することができるように形成される。したがって、カムボディの外側形状および第１の動作要素の内側形状が互いに相補的である。
【００８９】
中心軸がカムボディの中心を通って延在する。径方向が中心軸に対して垂直であり、軸方向が中心軸と平行である。好適には、カムボディがその中心軸を中心として回転対称である（例えば、２重（ｔｗｏｆｏｌｄ）の回転対称性を有する）。
【００９０】
第１の動作要素に関連する特徴
変換機構が第１の動作要素および第２の動作要素を備えることができる。このセクションは、第１の動作要素の、および第１の動作要素に関連する、有利な、実施形態、構成、および構造を説明する。必要または有用であるとみなされる場合、上で言及した開示の態様が繰り返し説明されるかまたはより詳細に考察される可能性がある。
【００９１】
第１の動作要素が、「スロープ領域」の項目名のあるセクションでも説明されるようにまたは第２の動作要素に関連するセクションでも説明されるように、スロープ領域を備えることができる。スロープ領域は第１の動作要素の第１の係合プロファイルの一部として含まれ得る。
【００９２】
いくつかの実施形態では、第１の係合プロファイルが第１の動作要素の１つまたは複数の壁の頂部側に形成される。これにより、第１の係合プロファイルに係合され得るようになる前にカムボディが移動する必要のある距離を縮小させることができる。
【００９３】
第１の係合プロファイルが、好適には、カムボディと協働するように構成される第１のスロープ領域を備えることができる。上記スロープ領域が、係合軸を中心として円周方向において湾曲するように構成され得る。好適には、第１のスロープ領域が円周方向において一定の幅を有する。
【００９４】
好適には、第１のスロープ領域の傾斜勾配が等しい。しかし、例えば、複数の位置の間でカムボディを移動させるのに必要とされるべき力の大きさに応じて様々な傾斜勾配が実現され得ると考えられる。
【００９５】
好適には、第１のスロープ領域のすべてが同じ方向に傾斜する。第１の係合プロファイルが、好適には、第１の動作要素の円周全体の周りにスロープ領域を備える。好適には、スロープ領域が係合軸に沿う方向を向くように構成され、例えば、その結果、それらのスロープ表面が円周方向においてのみ傾斜することになる。
【００９６】
第１の係合プロファイルが停止部を備えることができ、この停止部は、それにカムボディが係合されるときにカムボディが回転するのを阻害または防止する。停止部が第１の係合プロファイルの一部として含まれ得る。これにより、第１の動作要素に接触した状態でカムボディを駆動するときにカムボディがそこまで回転すべきところの正確な位置を制御することが可能となる。特に好適には、停止部領域がスロープ領域の底部にくるように配置され、その結果、カムボディが、スロープ領域によって加えられる完全な回転運動量を経たときに停止させられるようになる。
【００９７】
停止部が例えば壁またはステップによって形成され得る。好適には、壁またはステップが係合軸に平行に延在する。しかし、壁またはステップが係合軸に対して傾斜しており、それにより、停止部、壁、またはステップの傾斜部分の方向に応じて、カムボディを回転させて停止位置から外すことがより容易になるかまたはより困難になる可能性がある、ことが考えられる。好適には、停止部領域の高さ（係合軸に沿う方向における）が隣接するスロープ領域の高さと等しい。
【００９８】
別の態様では、第１の動作要素が１つまたは複数のスロットを備えることができ、１つまたは複数のスロットが、１つの機能において、カムボディをロック位置まで移動させるのを促進する。別の機能において、１つまたは複数のスロットが、部分的に、停止部として機能する。スロットも第１の係合プロファイルの一部として含まれ得る。スロットは、係合軸に沿って、第１の係合プロファイルから材料を除去することによって形成され得る。具体的には、スロットが、係合プロファイル内のすべての他の領域と比較して基部に向かう方向にさらに延在していてよい。好適には、スロットが１つまたは複数の壁の頂部側から第１の動作要素の基部まで下方に延在する。これにより、カムボディの移動を最大限に伸ばすことができる。スロットは、第１の動作要素の円周方向において、２つ以上の壁の間に形成される空間によって形成され得る。
【００９９】
スロットが、第１の係合プロファイル内に形成される２つの壁を備えることができ、具体的にはこれらの２つの壁が互いに平行であり、さらには係合軸にも平行である。スロットが、その基部の領域内で、９０度の角度を有することができる。言い換えると、スロットが長方形形状または正方形形状を有することができる。しかし、他の形状も考えられる。
【０１００】
１つの特定の実施例では、第１の係合プロファイルが、例えば互いに１８０度の角度のところにあるといった具合に、互いに向かい合うように配置される２つのスロットを係合プロファイル上に備える。設けられるべきロック解除位置またはロック位置の数によっては、より多くのまたはより少ないスロット（あるいは、第１のスロープ領域または停止部）が設けられてもよい。
【０１０１】
第１の動作要素が、例えばリングとして形成される基部を備えることができ、この基部に対して１つまたは複数の壁部片が取り付けられる。１つまたは複数の壁部片が基部の輪郭に沿って延在していてよい。いくつかの実施形態では、壁部片が、接着剤により、またはスナップ・インの幾何形状により、基部に固定されるか、あるいは壁部片が基部と共に単一部片として形成され得る。
【０１０２】
第１の動作要素が、スロットに対してカムボディが係合されるときにカムボディによりロック位置を占有することになるように、構成され得る。具体的には、第１の動作要素のスロットがカムボディの突出部を受け入れるように構成され得る。
【０１０３】
有利な実施形態では、第１の動作要素が、カムボディを少なくとも部分的に受け入れるための内部空間を備える。この空間は第１の動作要素内にある円筒形凹部として形成され得る。
【０１０４】
カムボディが第１の動作要素を完全に通過するのを防止するために、第１の動作要素が停止部を備えることができる。この停止部は、第１の動作要素の基部の周りを延在する、例えば円形フランジなどの、フランジとして形成され得る。堅固性を最大にするために、フランジが基部の周りを完全に延在していてよい。
【０１０５】
好適には、内部領域において、第１の動作要素が、導管のための取り付け機構が開くのを防止するように形成されるロック領域を備える。この領域は、取り付け機構とのインターロックまたは形状ロック（ｓｈａｐｅ  ｌｏｃｋ）を形成する領域であってよい。例えば、ロック領域は取り付け機構が開くのを防止するような直径を有する領域であってよく、例えば、取り付け機構の脚部を径方向外側に変位させるのを防止するような直径を有する領域であってよい。ロック領域が傾斜領域を備えることができ、傾斜領域が、いくつかの実施形態では、好適には第１の動作要素の基部の領域において、第１の動作要素の内周全体の周りを延在する。いくつかの実施形態では、ロック領域がさらにフランジを備えるかまたはフランジから構成される。
【０１０６】
有益な実施形態では、第１の動作要素が、カムボディがロック解除位置にあるときにのみ、また具体的には第１の動作要素に対してカムボディが係合されるときに（つまり、カムボディが第１の動作要素に接触するときに）、取り付け機構をロック解除するのを可能にするように、構成される。例えば、少なくとも１つの内側凹部が第１の動作要素の内壁内に形成され得、それにより取り付け機構をロック解除するための空間が提供される。具体的には、取り付け機構が取り付け機構を開けるために径方向外側に変位させられる脚部を備える場合、好適には、これらの凹部が第１の動作要素の内周壁上に形成される。
【０１０７】
特定の実施形態では、第１の動作要素が内周壁上に形成される４つの凹部を備え、これらの４つの凹部が互いに等しい距離のところに配置され、具体的には互いに９０度のところに配置される。
【０１０８】
いくつかの実施形態では、少なくとも１つの凹部が少なくとも１つのスロットに少なくとも位置合わせされる（つまり、凹部が、スロットと同じ、第１の動作要素の円周壁の部分に形成される）。これは、カムボディ上において、取り付け機構の関連部分（例えば、脚部）と、第１の係合プロファイルに係合されるカムボディの部分（例えば、突出部）とが互いに位置合わせされる場合に、有益である。これが当てはまらない場合、凹部がスロットとは異なる円周壁の部分に配置され得る。
【０１０９】
第１の動作要素が、好適には、第１の動作要素をハウジン内に存在させるときに、回転に関しておよび／または係合軸に沿う移動に関して第１の動作要素を定着させるための手段を備える。上記手段には、接着剤、インターロック接続、または押し込み接続が含まれてよい。一実施形態では、定着部材が、ハウジング内の対応する凹部に係合されるための、第１の動作要素の外周の周りに配置される突出部の形態で提供される。突出部が例えばスナップ・イン要素を備えることができる。
【０１１０】
好適には、第１の係合プロファイルの表面が滑らかであり、その結果、表面に接触するためのおよび表面の上を移動するための、カムボディの一部分の能力が阻害され妨害されない。
【０１１１】
第１の動作要素が、係合軸に沿う方向において第２の動作要素よりもハウジングの開口部の近くに配置され得る。具体的には、第１の動作要素がハウジングの開口部内に配置される。好適には、第１の動作要素が別個の部品として形成されるが、第１の動作要素がハウジングと共に単一部片として形成されることも考えられる。
【０１１２】
導管を受け入れるのを可能にするために、第１の係合要素が、通常は円形形状の開口部を有する。
【０１１３】
好適には、第１の動作要素がカムボディと協働するように構成され、ここでは、第１の動作要素に対してのカムボディの係合を介して、係合軸に沿うカムボディのモーションが、係合軸を中心としたカムボディの回転モーションへと変換される。
【０１１４】
第２の動作要素に関連する特徴
変換機構が第１の動作要素および第２の動作要素を備えることができる。このセクションは、第２の動作要素の、および第２の動作要素に関連する、有利な、実施形態、構成および構造を説明する。必要または有用であるとみなされる場合、上で言及した開示の態様が繰り返し説明されるかまたはより詳細に考察される可能性がある。
【０１１５】
好適には、第２の動作要素がカムボディと協働するように構成され、その結果、第２の動作要素に対してのカムボディの係合を介して、係合軸に沿うカムボディのモーションが、係合軸を中心としたカムボディの回転モーションへと変換される。
【０１１６】
第２の動作要素が、「スロープ領域」の項目名のあるセクションでも説明されるようにおよび第１の動作要素に関連するセクションでも説明されるように、スロープ領域を備えることができる。スロープ領域は第２の動作要素の第２の係合プロファイルの一部として含まれ得る。上記スロープ領域が、係合軸の周りで円周方向に延在するかまたは湾曲するように構成され得る。好適には、第２のスロープ領域が円周方向において一定の幅を有する。
【０１１７】
いくつかの実施形態では、第２の係合プロファイルが第２の動作要素の１つまたは複数の壁の頂部側に形成される。これにより、第２の係合プロファイルに係合され得るようになる前にカムボディが移動する必要のある距離を縮小させることができる。
【０１１８】
好適には、第２のスロープ領域の傾斜勾配が等しい。しかし、例えば、ロック解除位置とロック位置との間でカムボディを移動させるのに必要とされるべき力の大きさに応じて様々な傾斜勾配が実現され得ると考えられる。
【０１１９】
好適には、第２のスロープ領域のすべてが同じ方向に傾斜する。第２の係合プロファイルが、好適には、第２の動作要素の円周全体の周りにスロープ領域を備える。好適には、スロープ領域が係合軸に沿う方向を向くように構成され、例えば、その結果、それらのスロープ表面が円周方向においてのみ傾斜することになる。
【０１２０】
本発明者らはスロープの理想の数が等しい距離で互いから離間される４個であるという結論に達した。しかし、個別のラインコネクタの必要条件に応じてより多くのまたはより少ないスロープが組み込まれ得る。
【０１２１】
第２の動作要素が、カムボディが第２の係合プロファイルに係合されるときにカムボディが回転するのを阻害または防止するための停止部を備えることができる。停止部が第２の係合プロファイルの一部として含まれ得る。これにより、第２の動作要素に対してカムボディを駆動するときにカムボディがそこまで回転すべきところの正確な位置を制御することが可能となる。停止部領域がスロープ領域の底部にくるように配置されことが有益であり、その結果、カムボディが、スロープ領域によって加えられ得る完全な回転運動量を経たときに停止させられるようになる。
【０１２２】
停止部が例えば壁またはステップによって形成され得る。好適には、壁またはステップが係合軸に平行に延在する。しかし、壁またはステップが係合軸に対して傾斜しており、それにより、停止部、壁、またはステップの傾斜方向に応じて、カムボディを回転させて停止位置から外すことがより容易になるかまたはより困難になる可能性がある、ことが考えられる。好適には、停止部領域の高さ（係合軸に沿う方向における）が隣接するスロープ領域の高さと等しい。
【０１２３】
第２の動作要素が、例えばリングとして形成される基部を備えることができ、この基部に対して１つまたは複数の壁部片が取り付けられる。１つまたは複数の壁部片が基部の輪郭に沿って延在していてよい。いくつかの実施形態では、壁部片が、接着剤により、またはスナップ・インの幾何形状により、基部に固定されるか、あるいは壁部片が基部と共に単一部片として形成され得る。
【０１２４】
理想的には、第２の動作要素が別個の部品として形成され、それにより第２の動作要素が容易に機械加工され得ることが保証される。しかし、この事例では、第２の動作要素およびハウジングが、固定のための幾何形状により、回転方向および長手方向において固定する形（つまり、係合軸に沿う移動に関して固定する形）で第２の動作要素をハウジングの内側で定着させるように、構成されるべきである。これが、例えば回転を防止するための突出部を備える適切なスナップ・イン接続により実現され得る。別法としてまたは加えて、接着剤または押し込み接続が使用され得る。また、第２の動作要素がハウジングと共に単一部品として形成されることも考えられる。
【０１２５】
第２の動作要素が別個の部品として形成される場合、第２の動作要素が円周状の溝を備えることが可能であり、円周状の溝が係合軸に沿う移動を防止するためにハウジングの別の突出部に係合され、可能性として円周状の突出部に係合される。第２の動作要素が第１の動作要素の場合と同様のまたは等しい手段を使用して適切に定着させられ得る。効果が等しいような場合では溝および突出部の言及が逆であってもよいことを理解されたい。
【０１２６】
第２の動作要素の前方面が、第２のスロープがより大きい勾配を有するのを可能にするステップ状の領域を備えることができる。言い換えると、ステップ状の領域がスロープの底部と隣り合うスロープの頂部との間に位置してよい。ステップ状の領域が傾斜部分とは異なり急激に高さを増大させるのを可能にし（つまり、第２の動作要素の中心軸に平行に方向における高さ）、それにより高さを段階的に増大させるのを実現する。
【０１２７】
最も好適には、第２の動作要素が係合軸を中心とした回転対称性を有する。具体的には、第２の動作要素が４重（ｆｏｕｒｆｏｌｄ）の回転対称性を有する。導管を受け入れるのを可能にするために、第２の係合要素が好適には円形形状の開口部を有することができる。
【０１２８】
好適には、ラインコネクタが、第１および／または第２の動作要素をハウジング内に存在させるときに、カムボディの線形移動をカムボディの回転モーションへと変換するのを可能にするように、構成される。
【０１２９】
安全ラッチの特徴
ラインコネクタが安全ラッチを備えることができる。このセクションは、安全ラッチの、および安全ラッチに関連する、有利な実施形態、構成および構造を説明する。
【０１３０】
ラインコネクタが、カムボディが１つの回転位置から別の回転位置まで移動するのを防止するように構成される安全ラッチを備えることができる。好都合な実施形態では、安全ラッチが、カムボディがロック位置からロック解除位置までまたはその逆で移動するのを防止するように構成され、例えば、後退位置から突出位置までの移動が防止される。好適には、上記の特徴のうちの任意の１つの特徴が、安全ラッチがハウジング内に挿入されるように構成される安全ピンを備えるという形で、達成される。有利な実施形態では、安全ピンの挿入が、１つの回転位置から別の回転位置までカムボディが移動するのを阻止し、例えばロック位置からロック解除位置までの移動を防止し、好適には後退位置から突出位置までの移動を防止する。
【０１３１】
安全ラッチが好適には２つである複数の脚部を備えることができ、ここでは、安全ピンがこれらの脚部の間に配置される。具体的には、安全ラッチがＵ形またはＣ形のプロファイルを有することができ、ここでは中央部分（横方向に延びる部分または湾曲部分）が各々の端部のところで長手方向の延びる部分に接合される。安全ラッチがさらに、例えば取り付け機構により、またはハウジング内の対応する凹部または開口部と対合する突出部により（または、この逆の形により）、ハウジングに定着させられるように構成され得る。
【０１３２】
有利な実施形態では、安全ラッチおよびラインコネクタが、カムボディのロック解除位置において、安全ラッチが係合され得ないようにするように（例えば、安全ラッチを下方に押すことにより）、およびカムボディのロック位置において安全ラッチが係合され得るようにするように（例えば、安全ラッチを下方に押すことにより）、構成される。本発明の一実施例では、安全ラッチおよびラインコネクタが、ロック解除位置からロック位置までのカムボディの変位により、係合が不可能である位置から係合が可能である位置まで安全ラッチを移動させるように、構成される。
【０１３３】
カムボディのロック解除位置では、安全ラッチの少なくとも１つの突出部がハウジングの中へ少なくとも部分的に突出するように構成され得る。一実施例では、安全ラッチの少なくとも１つの脚部がその長手方向に沿って成形部分を備える。好適には、各脚部が、安全ラッチの中央部分から最も離れたその端部の領域内に突出部を備える。
【０１３４】
少なくとも１つの突出部が、安全ラッチを変位させるかまたは係合させるのを可能にするように構成される少なくとも１つの変位領域と、安全ラッチを変位させたり係合させたりするのを防止するように構成される少なくとも１つの定着領域とを備えることができる。具体的には、定着領域が、安全ラッチを係合方向に移動させるのを防止するために、例えば形状ロック接続を介して、ハウジングと協働するように形成され得る。いくつかの実施形態では、定着領域が平坦な非傾斜領域を備えることができ、変位領域が傾斜表面を備えることができる。
【０１３５】
安全ラッチの少なくとも１つの突出部が、第１の挿入位置において少なくとも１つの定着領域を係合させるように、および第２の挿入位置において少なくとも１つの定着領域を係合させないように、構成され得る。さらに、第１の挿入位置では、変位領域がカムボディと協働するように構成され得、その結果、カムボディの例えば突出部などの一部分が（具体的には、この一部分の移動が）、第１の挿入位置から第２の挿入位置まで安全ラッチの突出部を移動させることができるようになる。好適には、ラインコネクタが、ロック解除位置からロック位置までのカムボディを移動させることによりおよび変位領域を支承することにより、これを行うように、構成される。
【０１３６】
安全ラッチが、好適には、第２の挿入位置において少なくとも１つの突出部を例えば開口部を通して距離をいくらか入れるかまたは全く入れないようにハウジングの中に延在させる形となるように、また第１の挿入位置において少なくとも１つの突出部を第２の挿入位置と比較してハウジングの中へさらに延在させる形となるように、構成される。いくつかの実施形態では、第１の挿入位置において、少なくとも１つの突出部がハウジングの中の完全に挿入される。
【０１３７】
カムボディの突出部が、安全ラッチの突出部が第１の挿入位置にあるときに安全ラッチの突出部と協働するように、また具体的には安全ラッチの突出部の変位領域と協働するように、配置され得る。いくつかの実施形態では、ラインコネクタおよび安全ラッチが、具体的にはハウジングから出る方向において導管が使用者の方に引かれるときに、係合軸に沿うカムボディの移動により第１の挿入位置から第２の挿入位置まで突出部を移動させるように、構成される。カムボディの回転運動が上記移動を引き起こすことができることも考えられる。上記移動は、カムボディの径方向に延在する突出部によって実現され得る。上記移動が係合軸に沿うカムボディのモーションによって引き起こされる場合、突出部には係合軸に沿う傾斜領域が設けられ得、その結果、上記傾斜領域に対してのカムボディの移動および係合により、突出部を径方向外向きの方向に移動させることができる。
【０１３８】
第２の挿入位置では突出部がさらにハウジングの中に部分的に挿入され得ることから、突出部がその変位領域の中に、安全ラッチを係合させるのを可能にするためにハウジングと協働するように構成される傾斜領域をさらに備えることができる。具体的には、安全ラッチが下方に押されるとき、この別の傾斜領域が、ハウジングから完全に出すように突出部を変位させるためにハウジングに係合されるように構成され得、それにより安全ラッチを完全に係合させることが可能となる。上記傾斜領域は、安全ラッチの係合方向の方を向くように配置され得る。係合方向は、安全ラッチの係合時に安全ラッチが移動する方向である。
【０１３９】
安全ラッチが、ハウジングから取り外されないように安全ラッチを定着させるように機能する少なくとも１つのキャッチ要素をさらに備えることができる。少なくとも１つのキャッチ要素が、ハウジングの外側表面上に形成される溝に係合されるように構成され得る。
【０１４０】
好適には、ハウジングが、安全ラッチの係合方向に沿うように配置される少なくとも１つの第２の開口部を備える。少なくとも１つの第２の開口部が、好適には、安全ラッチが係合位置にあるときに安全ラッチの突出部を受け入れるように構成される。少なくとも１つの第２の開口部が、安全ラッチが外れるのを阻害するように機能することも考えられる。
【０１４１】
いくつかの実施形態では、少なくとも１つの第２の開口部がブラインド開口部であり、傾斜表面を備え、傾斜表面が安全ラッチ少なくとも１つの突出部と協働するように構成され得る。このようにして、安全ラッチの突出部が第２の開口部の傾斜表面を支承することで、使用者が単純に外れる方向に沿って安全ラッチを引くことにより安全ラッチを外すことが可能となり得る。
【０１４２】
理想的には、ハウジングが各々の突出部のための第２の開口部を備える。したがって、ハウジングの両側に配置される２つの第２の開口部が存在し得る。
【０１４３】
ハウジング
ラインコネクタがハウジングを備える。このセクションは、ハウジングの、およびハウジングに関連する、有利な実施形態、構成および構造を説明する。必要または有用であるとみなされる場合、上で言及した開示の態様が繰り返し説明されるかまたはより詳細に考察される可能性がある。
【０１４４】
ハウジングが、大きい直径を有する第１の端部と、小さい直径を有する第２の端部とを有するテーパセクションを備えることができる。テーパセクションが、カムボディに対してのばね力を発生させるために、カムボディに係合されるように、また具体的にはカムボディの少なくとも１つの突起部に係合されるように構成され得る。
【０１４５】
好適には、テーパセクションがハウジングの内周全体にわたって延在する。テーパセクションのスロープレベルは、必要とされるばね力の大きさに応じて変化してよい。好適には、テーパセクションの表面が滑らかである。
【０１４６】
さらに、テーパセクションおよび第２の動作要素が、カムボディが第２の動作要素の方に変位させられるときにテーパセクションにより突起部を第２の動作要素に接触させるように、構成され得る。これにより、突起部によりばね機能を提供することおよび第２の動作要素に対しての係合を介してカムボディを回転させるように機能することの両方が可能となる。
【０１４７】
本ラインコネクタと共に使用されるための導管が突出部を備えることができる。好適には、導管が円周状のカラーを備え、この円周状のカラーが好適には導管の円周の周りを完全に延在する。
【０１４８】
係合軸に沿う第１の動作要素と第２の動作要素との間の距離が、カムボディを自由に回転させるのを可能にするのに十分なものであるべきである。言い換えると、第１の動作要素に対しての係合を介してカムボディが回転させられるときに、カムボディの部品が第２の動作要素に衝突するべきではなく、逆も同様である。
【０１４９】
好適には、ハウジングが、導管の挿入時に係合軸に沿って導管を移動させるのを可能にするように構成され、それによりカムボディを移動させるために導管を押したり引いたりすることが可能となる。これが、例えば、適切な長さを有するハウジングの第３のチャンバを提供することによって達成され得る。
【０１５０】
重要な１つのデザインでは、カムボディおよび変換要素（または、第１の動作要素および第２の動作要素）が、各々、導管を受けるのに適する同一線上にある開口部を有する。
【０１５１】
別の任意選択の実施例では、ハウジングが、挿入された差込み部とハウジングとの間での良好な密閉を保証するために、少なくとも１つの内部の第１の密閉リングを有することができる。好適には、第１の密閉リングが、変換要素（または、具体的には第２の動作要素）を越えるようにハウジングの第２のチャンバ内で受けられる。これにより、第１の密閉リングの存在が係合機構に確実に干渉しなくなることを保証する。
【０１５２】
少なくとも１つの第１の密閉リングが隣接するガイドリングと組み合わされ得る。上記ガイドリングが、ハウジングの残りの部分を通して具体的には第３のチャンバの中まで差込み部を案内するように機能することができる。
【０１５３】
特に良好な密閉効果を保証するために、第１の密閉リングに加えて第２の密閉リングが提供され得る。ガイドリングが使用される場合、２つの密閉リングがガイドリングの各々の側に配置され得る。
【０１５４】
「溝」、「凹部」、「ノッチ」、または「スロット」という用語、および「突出部」、「足」、または「棒」という用語、あるいは任意の他の明確に確認できる用語（ａｐｐａｒｅｎｔ  ｔｅｒｍ）は、２つの部品の間で形状嵌合接続を形成するのにこれらの要素が使用される場合に、また具体的には回転モーションまたは線形モーションを固定するのにこれらの要素が使用される場合に、交換され得る。
【０１５５】
「係合」という用語は「一体にする」という意味で使用され得るが、ロック部分に係合されるかまたは機構を動作させることを意味するのにも使用され得る。本出願では、係合機構は、通常、ラインコネクタをロックしたりロック解除したりするのに関連して使用されものである。しかし、この機構がさらに、開口部の中に導管が挿入される場合に（または、開口部から導管が取り外される場合に）導管を定位置に送るのにおよび導管を定位置から外すのに使用されることも考えられる。
【０１５６】
係合軸は、第１および／または第２の動作要素に係合されるためにカムボディがそれに沿って線形に移動する軸である。これは、ハウジングの長手方向軸、および導管がそれに沿って挿入される軸であってもよい。
【０１５７】
通常、内側方向はハウジングの中に入る方向（つまり、ハウジングの挿入開口部に入る方向）を意味するものとして理解されるものであり、外側方向はハウジングから出る方向（つまり、ハウジングの挿入開口部から出る方向）を意味するものとする。「径方向」という用語は半径方向を意味するものであり、つまり例えば特定の軸を中心とした円形の力の半径の方向を意味するものである。軸方向という用語は特定の軸に沿うことを意味する。円周方向という用語は、特定の軸を囲む方向を意味し、場合よっては円形経路に沿う方向を意味する。
【０１５８】
「第１」および「第２」という用語が標識として使用されるものであり、説明されない限り位置または機能を明確に示すのに使用されないことに留意されたい。具体的には、第１の動作要素および第２の動作要素は、ハウジング内に、逆にされ得るようなそれらの位置を有することができ、第１の動作要素は第２の動作要素の特徴およびプロファイルを有することができる。
【０１５９】
適用可能な実施形態では、係合機構がカムボディおよび変換機構を包含し、ここでは、変換機構が第１の動作要素および第２の動作要素をさらに包含することができる。
【０１６０】
概して、導管に言及する場合、これは差込み部であってもよい。その理由は、導管の差込み部がラインコネクタの中に取り付けられるからである。
【０１６１】
種々の構成要素を製造するのに理想的な材料はポリマーであり、具体的には硬質プラスチックである。しかし、要求条件に応じて、金属などの他の硬質材料が使用されてもよい。カムボディは、いくつかの実施形態では、取り付け機構を開けることを目的として径方向に湾曲できるようにするために、より高い可撓性を有する材料を使用することを必要とする可能性がある。
【０１６２】
図と併せた、特許請求の範囲の文言から、さらには以下の実施形態の説明から、本発明の別の特徴、細部、および利点を見ることができる。
【図面の簡単な説明】
【０１６３】
【図１ａ】ラインコネクタおよび安全ラッチを示す分解図である。
【図１ｂ】ラインコネクタおよび安全ラッチの別の実施形態を示す分解図である。
【図２】第１の動作要素を示す正面斜視図である。
【図３】第１の動作要素を示す背面斜視図である。
【図４】第１の動作要素を示す正面図である。
【図５】第１の動作要素を示す側面図である。
【図６】第２の動作要素を示す正面斜視図である。
【図７】第２の動作要素を示す正面図である。
【図８】カムボディを示す正面斜視図である。
【図９】カムボディを示す側面図である。
【図１０】カムボディを示す背面図である。
【図１１】ハウジングを示す正面斜視図である。
【図１２】ハウジングを示す側面断面図である。
【図１３ａ】ロック解除位置にあるラインコネクタおよび導管を示す側面断面図である。
【図１３ｂ】ロック解除位置にあるラインコネクタおよび導管の別の実施形態を示す別の側面断面図である。
【図１４】第１の動作要素上にある停止部を支承する突出部を備える、ロック解除位置にあるカムボディを備える、ラインコネクタを示す斜視図である。
【図１５】移動させられてロック解除位置から外れて第２の動作要素に係合されて始めているカムボディを備えるラインコネクタを示す斜視図である。
【図１６】第２の動作要素に係合されて第２の動作要素の停止面を支承しているカムボディを備えるラインコネクタを示す斜視図である。
【図１７】第１の動作要素のスロット内にある突出部を示している、ロック位置にあるカムボディを示す側面図である。
【図１８】ロック位置にあるラインコネクタを示す側面断面図である。
【図１９】安全ラッチを示す斜視図である。
【図２０】非係合位置にある安全ラッチを示す斜視図である。
【図２１】第１の挿入位置にある安全ラッチの脚部の突出部を備える、非係合位置にある安全ラッチを示す斜視図である。
【図２２】非係合位置にある安全ラッチを示す側面断面図である。
【発明を実施するための形態】
【０１６４】
図１ａおよび図１ｂがラインコネクタ１および安全ラッチ１６０の分解図を示す。これを以下で他の図とともにさらに説明する。
【０１６５】
第１の動作要素
図２から図５が、リングとして実質的に形成される第１の動作要素５０の種々の図を示す。第１の動作要素５０が、リング形状の基部５３のところで接合される２つの概略半円形の壁５１を有する。外側５４、内側５５、底部側５６および頂部側５７、さらには示されない導管を受けるのに適する中央開口部５８が存在する。使用時、底部側５６がハウジングから出る方を向き、頂部側５７がハウジングに入る方を向く。
【０１６６】
各壁５１が、頂部側５７のところで壁の頂部内にある第１の係合プロファイル５９を装備し、カムボディが第１の係合プロファイル５９に接触した状態で中心軸Ｃ１に沿って駆動され得、使用時に中心軸Ｃ１が係合軸Ｅに位置合わせされ、それにより係合軸を中心としたカムボディの回転モーションを実現する。頂部側５７から見て時計回り方向で見ていくと、第１の係合プロファイル５９が以下のように繰り返しのモチーフから構成される：
【０１６７】
窪んでいる第１のスロープ領域６０、続いて停止部６１、続いて別の第１のスロープ領域６０。停止部６１の高さ、つまり中心軸Ｃ１に沿う延在量が、中心軸Ｃ１に沿うスロープ領域の落下量に等しい。
【０１６８】
各壁５１の端部５２が、円周方向Ｌにおいて特定の距離でもう一方の壁５２の隣り合う端部５２から分離され、それにより２つの等しいスロット６２が形成される。したがって、第１の動作要素５０がその中心軸Ｃ１を中心とした２重の回転対称性を有する。
【０１６９】
スロット６２の１つの機能は、カムボディをロック位置まで移動させるのを促進することである。加えて、停止部６１がロック解除位置にあるカムボディの移動および保持を促進する。壁５１）の端部５２でもある各スロット６２の側部６３が直線であり、互いに平行である。
【０１７０】
足６４が互いに正反対となるように基部５３の外側５４のところに配置され、つまり１８０度離間される。各足６４が、１つの面により基部５３の外側５４に接合される実質的な立方体である。各足６４が、足６４の底部面６５を基部５３の底部側５６と平行にするように、位置決めされる。言い換えると、各足６４が基部５３から径方向外側に延在しているように見える。しかし、中心軸Ｃ１に平行な足６４の延在量は、中心軸Ｃ１に平行な基部５３の延在量より小さく、具体的には足６４の長さが基部５３の長さの約４分の３である。中心軸Ｃ１に平行である足６４の縁部６６が丸みを有する。足６４が、第１の動作要素５０がハウジングの中に挿入されるときに第１の動作要素５０の回転運動を防止するように機能する。
【０１７１】
第１の動作要素５０が、基部５３の外側５６の周りに配置される４つの棒６７をさらに備え、上記棒６７がハウジング内で第１の動作要素５０を保持するためのスナップ・イン要素として機能し、それにより係合軸Ｅに沿うモーションを防止し、つまり第１の動作要素５０の中心軸Ｃ１に沿うモーションを防止する。各棒６７が円周方向Ｌにおいてその隣り合う棒６７まで約９０度のところに配置される。棒の前方側６８が傾斜しており、それにより第１の動作要素５０をハウジングの中に挿入するのを補助する。棒６７の背面側６９は傾斜しておらず、代わりに基部５３の底部側５６に平行である。
【０１７２】
第１の動作要素５０が、内側５５において壁５１内に形成される４つの内側凹部７０を有する。これらの凹部７０のうちの２つの凹部の各々が壁５１のうちの１つの壁の中に完全に形成され、２つの凹部７０の各々が壁５１のうちの２つの壁に跨って存在し、具体的にはスロット６２の領域内に存在する。これらの凹部が９０度である互いに等しい間隔で配置される。
【０１７３】
基部５３が、ロック位置において、第１の動作要素５０からカムボディが抜けるのを防止するための、およびカムボディが第１の動作要素５０内にあるときにカムボディの取り付け機構が開くのを防止するためにカムボディの取り付け機構を囲むように機能するための、フランジ７１を有する。フランジ７１が第１の動作要素５０の円周全体の周りを延在する。
【０１７４】
第２の動作要素
図６および図７が第２の動作要素８０の種々の図を示しており、第２の動作要素８０がリング形状を有し、内側８１と、外側８２と、頂部側８３と、底部側８４とを有する。底部側８４が、ハウジングの中に第２の動作要素８０が配置されているときにハウジングに入る方を向くように配置され、頂部側８３がハウジングから出る方を向くように配置され、ここでは外側８２がハウジングの内側領域に接触しており、それにより第２の動作要素８０を定位置で保持する。中央開口部８５が導管を受けるのに適する。
【０１７５】
第２の動作要素８０が、その外側８２に、２つの円周状の溝８６を有する。
【０１７６】
第２の動作要素８０の頂部側８３のところに第２の係合プロファイル８７が設けられ、この第２の係合プロファイルに接触した状態でカムボディが係合軸に沿って（つまり、中心軸Ｃ２に沿って）駆動され得、それにより係合軸を中心としたカムボディの回転モーションを引き起こす。頂部側８３から見て時計回り方向で見ていくと、第２の係合プロファイル８７が以下のように繰り返しのモチーフから構成される：
【０１７７】
窪んでいる第１のスロープ領域８８、続いて停止部８９、続いてステップ領域９０、ステップ領域９０が次の第２のスロープ領域８８の開始地点に接合される。このモチーフが４回繰り返される。したがって、第２の係合プロファイル８７が第２の動作要素８０の中心軸Ｃ２を中心として４重の回転対称性を有する。
【０１７８】
第２のスロープ領域８８は全体が等しい円周方向Ｍにおいて傾斜するように構成されており、ここではスロープ全体が反時計回り方向Ｒに下っている。停止部８９とステップ領域９０との間のおよびステップ領域９０と各スロープの頂部との間の、第２の係合プロファイル８７の表面が平坦で均一であり、つまり、表面が径方向に平行に延在する。
【０１７９】
各ステップ領域９０が第２の係合プロファイル８７の特定のロケーションにおいて径方向Ｄ２に平行に延在する。各停止部８９が径方向Ｄ２に平行に延在せず、ある角度でリングを遮断する、ことが分かるであろう。
【０１８０】
カムボディ
図８から図１０がカムボディ１００の種々の図を示す。カムボディ１００が、背面側１０１と、前方側１０２と、外側１０３と、内側１０４とを有する。背面側１０１のところにこの事例ではリング形状で形成される土台１０５があり、土台１０５に対して４つの脚部１０６（第１の脚部１０７、第２の脚部１０８、第３の脚部１０９、および第４の脚部１１０）が取り付けられ、中心軸Ｃ３に沿って同じ方向に延在する。４つの脚部１０６が土台１０５の円周の周りで互いに等しく離間される。したがって、各脚部１０６の間の角度が、一般的な公差範囲内で、９０度である。脚部１０６が土台１０５に取り付けられる。
【０１８１】
各脚部１０６が、脚部１０６を土台１０５に接続する接合部片１１１と、接合部片１１１に接合されて中心軸Ｃ３に対して垂直な方向に延在する径方向延在部分１１２と、径方向延在部分１１２に接合されて中心軸Ｃ３に平行な方向に延在するフック部分１１３とを有する。本出願では、「脚部」という用語は、フック部分１１３と、径方向延在部分１１２と、接合部片１１１との組み合わせを意味するのに使用され得る。
【０１８２】
各脚部１０６およびそのフック部分１１３が取り付け機構１４９の一部分を含む。各フック部分１１３がカムボディ１００の内側１０４上に凹部１１６を有し、凹部１１６が、挿入された導管を取り付けるためのそれらのフック状の形状をフック部品１１３に与える。凹部１１６のプロファイルが湾曲部１１８に接続されるスロート１１７を備え、ここでは、スロート１１７が中央軸Ｃ３に対してわずかな傾斜で延在し、湾曲部１１８が実質的に湾曲しており、その結果、凹部１１６のプロファイルが湾曲部１１８の端部のところでは中心軸Ｃ３に対して実質的に垂直に延在する。湾曲部１１８の領域は本出願の他の箇所において「内側傾斜領域」と呼ばれてもよく、これは、取り付け機構１４９から外すように導管を案内するのを補助するように機能する部分である。凹部１１６のプロファイルがそれぞれのフック部分１１３の円周方向において凹部１１６の全幅にわたってつまり凹部１１６の延在量にわたって延在する。
【０１８３】
各フック部分１１３の前方側１０２のところに前方傾斜部分１１９があり、前方傾斜部分１１９が取り付け機構１４９の中に導管を挿入するのを補助する。この前方傾斜領域１１９がそれぞれのフック部分１１３の円周方向）において脚部の全幅にわたってつまり脚部の延在量にわたって延在する。
【０１８４】
各フック部分１１３の上で定義される幅は、中心軸Ｃ３に平行な方向で実質的に等しい。言い換えると、各フック部分１１３の内部側１３３が互いに平行である。
【０１８５】
各フック部分１１３がカムボディ１００の外側１０３のところに頂面１２１を有する。土台１０５上の向かい合う位置に配置される、つまり、互いに１８０度のところに配置される（第１の脚部１０７および第３の脚部１０９の第１および第３のフック部分の場合、突出部１２２が頂面１２１の一部として形成され、それにより第１の突出部１２３および第２の突出部１２４を与える。第１の突出部１２３および第２の突出部１２４の両方を通って延在する直線ＡＢに沿って見ると、第１の突出部１２３が直角三角形とみなされ得る断面１２５を有する。断面１２５の三角形が、斜辺１２６と、底辺１２７と、側辺１２８とを有し、底辺１２７をフック部分１１３の頂面１２１の後方縁部１２９と平行にするように、構成され、その結果、直線ＡＢに沿って見る場合にこの三角形の直角が後方縁部と部分的に重なるようになる。底辺１２７と直角を（形成するこの三角形の側辺１２８が、頂面１２１の後方縁部に対して垂直に延在する。第２の突出部１２４が第１の突出部１２３と同じ形態を有する。
【０１８６】
フック部分１１３の頂面１２１の、およびそれぞれのフック部分１１３の傾斜領域の、外側１０３のところでの突出部の曲率が、土台１０５の曲率と鏡像をなす。
【０１８７】
各フック部分１１３が、頂部側の傾斜領域１１５と頂面１２１との間のインターフェース１３２のところに位置するリップ１３１を有する。リップ１３１が、外側１０３のところでフック部分１１３の全幅にわたって中心軸Ｃ３に対して垂直に延在する。
【０１８８】
各脚部１０６が２つの内部側１３３を有する。第２の脚部１０８および第４の脚部１１０の各々の内部側１３３上にフランク１３９が配置され、フランク１３９は具体的には第２および第４のフック部分の内部側１１３上にある。
【０１８９】
各第１の脚部１０７および第３の脚部１０９が、それぞれのフック部分１１３の後方壁１４８上に配置される突起部１４０をさらに備える。各突起部１４０が中央軸Ｃ３に実質的に平行に延在する。各突起部１４０が中央軸Ｃ３の方向において土台１０５を通過して延在する。
【０１９０】
各突起部１４０が径方向内側に部分的に延在するテール部分１４１を備え、テール部分１４１がボディ部分１４２に接合され、ボディ部分１４２が中央軸Ｃ３に平行に延在し、ボディ部分１４２がヘッド部分１４３に接合される。テール部分１４１およびボディ部分１４２が（円周方向において等しい幅を有し、（径方向外向きの方向において等しい高さを有する。
【０１９１】
ヘッド部分１４３が第１のフィンガ１４４および第２のフィンガ１４５を備える。各フィンガ１４４、１４５が、三角柱の形態を有する先端部分１４６、１４７に接合される立方体によって実質的に形成される。第１のフィンガ１４４および第２のフィンガ１４５が互い接合され、隣り合うように配置され、さらにはそれらの先端部分１４６、１４７を互いに直角にするように、配置される。具体的には、第１のフィンガ１４４の第１の先端部分１４６が中心軸Ｃ３に平行にフック部分１１３から離れる方向を指しており、第２のフィンガ１４５の第２の先端部分１４７が、それに対して垂直に、径方向外向きの方向を指している。
【０１９２】
カムボディ１００がその中心軸Ｃ３を中心として２重の回転対称性を有する。
【０１９３】
ハウジング
図１１および図１２がハウジング４の図を示しており、ハウジング４が漸進的に縮小する直径を有する一連のチャンバを備える内部構造を有し、つまり、最大の直径を有する第１のチャンバ１０と、第２のチャンバ１１および第３のチャンバ１２と、最小の直径を有する第４のチャンバ１３とを備える内部構造を有する。ハウジング４が、外側表面５と、内側表面６と、挿入開口部８と、出口開口部９とを有する。
【０１９４】
第１のチャンバ１０が、第１の動作要素５０およびカムボディ１００を受け入れるように配置される。ハウジング４が、互いに向かい合うように配置される、つまり互いに１８０度のところで、その前方表面７内に形成される２つのノッチ１５を備える。これらのノッチ１５が第１の動作要素５０の足６４に対合するように配置され、それによりハウジング４内で第１の動作要素５０の回転運動を防止する。この目的のため、ハウジング４がさらに、内周全体の周りを延在する、第１のチャンバ１０の内側表面６内に形成される溝を特徴的な形状として有する。この溝１６は、ハウジング４の中に第１の動作要素５０が挿入されるときに係合軸Ｅに沿う第１の動作要素５０の移動を防止することを目的として第１の動作要素５０の棒６７に係合されるように構成される。
【０１９５】
第２のチャンバ１１が第２の動作要素８０を受け入れるように配置される。第２のチャンバの内側表面内に突出部９が形成され、突出部９が第２の動作要素８０の側の対応する溝８６に対合し、それにより第２の動作要素８０の回転運動および軸方向の移動を防止する。第２のチャンバ１１は一定の直径を有さず、むしろ第３のチャンバ１２の方向において縮小する直径を有するテーパセクション１４を有する。カムボディ１００がハウジング４の中にさらに押し込まれるときにカムボディ１００の突起部１４０がこのテーパセクション１４を支承してそれによりばね要素として機能する。
【０１９６】
ガイドリング２７が第２のチャンバ１１内に配置され、ガイドリング２７が両側において第１の密閉リング２５および第２の密閉リング２６と接している。これらが差込み部Ｓとハウジング４との間の効果的なシールを提供するように機能する。
【０１９７】
第３のチャンバ１２が挿入された導管Ｋの端部を受けるように構成され、好適にはその結果、導管が第３のチャンバ１２内で密閉される。
【０１９８】
第４のチャンバ１３が、挿入された導管Ｋの端部からの媒体の流れを受けるように構成される。ハウジング４が、別の導管に接続されるためのまたはラインコネクタ１を別の開口部の中に接続するための、第４のチャンバ１４の領域内においてその外側表面５上にモミの木のプロファイル１７を特徴的な形状として有する。
【０１９９】
別の突出部９が、ラインコネクタ１から安全ラッチ１６０が引き離されるのを阻害することを目的として安全ラッチ（図示せず）のキャッチ要素１６８に適合するように構成さるように、ハウジングの外側に形成される。ハウジング４が、第１の開口部１９および（ブラインドの）第２の開口部２０をさらに備え、第１の開口部１９および第２の開口部２０が安全ラッチ１６０（図示せず）の突出部１６２に対合する。
【０２００】
安全開口部１８がハウジング４の第１のチャンバ１０の壁内に形成され、安全ラッチ１６０の係合位置において安全ラッチ１６０（図示せず）の安全ピン１６１が安全開口部１８の中へ突出するように構成される。
【０２０１】
次に、ラインコネクタの特定の実施形態の機能・使用の形態を説明する。
【０２０２】
ラインコネクタの組み立て
図１ａおよび図１ｂ、図１３ａから図１８ならびに図２０から図２２が、様々な位置にある、様々な組み立て状態および使用状態の、ラインコネクタの種々の図を示す。図１９が安全ラッチの図を示す。
【０２０３】
最初に、第２の動作要素８０が、例えばスナップ・イン接続によりハウジング４の第２のチャンバ１１の中に固定される（いくつかの事例では、第２の動作要素８０が既にハウジング４の一部分であってよいことに留意されたい）。次いで、カムボディ１００がハウジング４の第１のチャンバ１０の中に配置されてその後で第１の動作要素５０がハウジング４の中に固定され得るか、または１モーションでカムボディ１００および第１の動作要素５０が一体に保持されて次いでハウジング４の第１のチャンバ１０の中に挿入され得る。いずれの場合も、第１の動作要素５０が、ハウジング４の前方表面７の中のノッチ１５に対して足６４を位置合わせするように、および第１のチャンバ１０の内側表面６上の溝１６の中に棒６７をスナップ嵌合するように、挿入され、その結果、第１の動作要素５０が回転モーションおよび平行移動モーションに関して定着させられる。
【０２０４】
この時点で、ラインコネクタ１が導管Ｋを受けることの準備が整う。しかし、通常、ラインコネクタ１はそのアウトレット３のところにおいて取り付けポイントまたは別の導管に事前に取り付けられることになる。そのために、関連部分がハウジング４の外側表面５上のモミの木のプロファイル１７の上で摺動させられることになる。
【０２０５】
導管の挿入
取り付け機構１４９と協働するための適切な部分を有する導管５が提供され、この適切な部分は、この事例では、導管端部から一定の距離のところに配置される円周状のカラー２０１である。
【０２０６】
最初に、円周状のカラー２０１がカムボディ１００の前方側１０２すなわち脚部１０６に当接されるまで、導管Ｋの端部が、第１の動作要素５０の中央開口部５８と、カムボディ１００の中央開口部１３０とを通してハウジング４の中へさらに挿入される。このとき、使用者がさらに挿入されることにおいて抵抗を受けることになる。
【０２０７】
この時点で、使用者がわずかに力を増大させて導管Ｋを押す。これによりカラー２０１が脚部１０６の前方傾斜領域１１９を支承することになり、それにより導管Ｋをさらに挿入するときに脚部が径方向外側に押されることになる。特定のポイントで、脚部１０６が、また具体的にはフック部品１１３が、取り付け機構１４９の取り付け領域１１４の中までカラー２０１を通過させるのを可能にするのに十分な量で変位させられることになる。この時点で、導管Ｋが取り付け機構１４９を介してカムボディ１００に取り付けられ、その結果、カムボディ１００が平行移動に関して導管Ｋに実質的に固定されることになる。しかし、カムボディ１００が導管Ｋの周りを回転することもできる。
【０２０８】
ロック解除・ロック機構の動作
図１７および図１８を参照すると、ここでは、ラインコネクタ１がロック状態にあり、つまり、カムボディ１００がロック位置にある。図１８から分かるように、脚部１０６のフック部品１１３が導管Ｋのカラー２０１に近接するところに位置する。ロック位置では、使用者が導管Ｋを引いて導管Ｋを取り外そうとする場合、これを行うことができないことを理解することになる。その理由は、脚部１０６が第１の動作要素５０のフランジ７１により径方向に変位させられることが防止されるからである。さらに、径方向において土台１０５を通過して延在する突出部１２２が存在することで、カムボディ１００がハウジングから取り外され得ない。
【０２０９】
図１７を参照して分かるように、ロック位置では、カムボディ１００が、突出部１２２を第１の動作要素５０のスロット６２内に位置させるように、位置決めされる。
【０２１０】
使用者が導管Ｋを取り外すことができるようにするためにラインコネクタ１をロック解除するのを望む場合、使用者が以下で説明される手順を踏むことになる。
【０２１１】
最初に、導管Ｋが内側に押され、つまりハウジングの中へとさらに押される。導管Ｋの、また具体的にはカラー２０１の、移動が、カムボディ１００を内側に運ぶ。特定のポイントで、カムボディ１００が、突起部１４０により第２の動作要素８０をまた具体的には第２の動作要素８０の第２の係合プロファイル８７を支承するのに十分な量で移動させられたことになる。第２の係合プロファイル８７が第２のスロープ領域８８を備えることで、カムボディ１００のさらなる線形モーションによりカムボディ１００の回転モーションが付随して起こるようになる。その理由は、カムボディ１００が導管Ｋの周りで自由に回転することができるからである。
【０２１２】
一定程度の回転モーションの後、突起部１４０のヘッド部分１４３が、第２の係合プロファイル８７内に形成される停止部８９を支承することになる。これはカムボディ１００のさらなる回転モーションが阻害されることを意味する。
【０２１３】
次いで、使用者が導管Ｋを引っ張る。これが、導管の挿入方向に対して反対方向へと戻すように係合軸Ｅに沿ってカムボディ１００を運ぶことになる。このようにして、カムボディ１００の径方向延在突出部１２２が第１の動作要素５０の第１の係合プロファイル５９を支承することになり、具体的にはスロープ領域６０を支承することになる。これは第２の動作要素８０に対しての第１の動作要素５０の構成を理由とし、ここでは、第１のスロープ領域６０および第２のスロープ領域８８が、突起部１４０または突出部１２２により第１のスロープ領域６０または第２のスロープ領域８８を支承してカムボディ１００の回転モーションを引き起こすのを常に可能にするように、構成される。
【０２１４】
したがって、導管Ｋを外側方向に引いてカムボディ１００を第１の動作要素５０に係合させるとき、カムボディ１００がさらに回転させられる。最終的に、カムボディ１００が、突出部１２２により第１の係合プロファイル５９内の停止部６１を支承してそれによりさらなる回転モーションを防止するのに十分な量で、回転させられる。これがロック解除位置である。
【０２１５】
ロック解除位置が、図１３ａ、図１３ｂおよび図１４にさらに詳細に示される。
【０２１６】
ロック解除位置において導管Ｋをラインコネクタ１から取り外すために、使用者が導管Ｋに引っ張り力を作用させる。これによりカラー２０１が脚部１０６の内側傾斜領域１２０を支承することになる。使用者が引っ張り力を増大させると、脚部１０６が外側に変位させられることになる。ロック位置とは対照的に、ここでは、脚部１０６を変位させるための、また具体的にはフック部分１３３を変位させるための十分な空間が存在する。この空間は、第１の動作要素５０の壁５１内に内側凹部７０が存在することによって得られる。
【０２１７】
この脱着プロセスは、第１の係合プロファイル５９に対してカムボディ１００の突出部１２２が当接されることによってさらに促進される。ここでは、導管Ｋおよびひいてはカムボディ１００を引くことにより生じる反動力（ｒｅａｃｔｉｏｎａｒｙ  ｆｏｒｃｅ）が突出部１２２に作用する。これにより、突出部１２２がある種のレバーとして機能することが可能となり、それにより脚部１０６に対して、てこの作用が働き、それにより脚部１０６が外側に湾曲して取り付け機構１４９を開く。また、これにより、カムボディ１００がハウジング４からさらに引かれることが防止され、それにより導管Ｋを取り付け領域１１４からおよびひいてはラインコネクタ１から自由に外に出すことが可能となる。
【０２１８】
したがって、単に係合軸Ｅに沿って力を加えることによりラインコネクタ１をロックおよびロック解除することが如何にして可能となるかが理解されるであろう。これは片手のみで行われ得る。
【０２１９】
安全ラッチの動作
図１９から図２２が安全ラッチおよびその非係合位置を示す。本発明の別の態様が、カムボディ１００を移動させてロック位置から外すのを防止するのに使用され得る安全ラッチ１６０である。広い意味において、安全ラッチ１６０の機能は、カムボディ１００を移動させてロック位置から外すのを可能としないような形で、ハウジング４の中へ突出することである。これが以下のように達成される。
【０２２０】
ハウジング４が、カムボディ１００がロック位置にあるときに、安全開口部１８を径方向においてカムボディ１００の脚部１０６の上方に置くが内側方向に変位させることになるように、位置決めされる安全開口部１８を備える。具体的には、安全開口部１８が、カムボディ１００がロック位置にあるときに、安全ピン１６１をカムボディ１００のすぐ後方に置くようにするために、また好適にはカムボディ１００の脚部１０６の後方に置くようにするために安全ラッチ１６０の安全ピン１６１を安全開口部１８の中に挿入するのを可能にするように、構成および配置される。このようにして、カムボディ１００がロック位置に到達した後で安全ピン１６１が安全開口部１８を通して挿入され得るようになり、その後、先に安全ピン１６１を安全開口部１８から取り外すことなくカムボディ１００をロック位置から外すことが可能とならない。したがって、先に安全ラッチ１６０を取り外さない限り、導管Ｋを取り外すことが可能とならない。
【０２２１】
ラインコネクタ１がさらに、カムボディ１００がロック位置にあるとき、安全ラッチ１６０のみを非係合位置から外すことができるようにするように構成される。
【０２２２】
ラインコネクタ１が、ロック位置において、例えば係合軸Ｅに沿う方向においてさらにカムボディ１００を第１の動作要素５０内に位置させるように構成される。その理由は、取り付け機構１４９を開くのを防止するのに寄与するフランジ７１が第１の動作要素５０の基部５３の領域内に配置されるからである。そのため、スロット６２が壁５１の軸方向においての全長にわたって第１の動作要素５０の基部５３まで延在し、それにより、突出部１２２およびひいてはカムボディ１００に、第１の動作要素５０の中まで軸方向に移動するための十分な空間を与える。
【０２２３】
ハウジング４が例えば、ハウジング４の中に第１の動作要素５０が挿入されるときにハウジングのノッチ１５を位置決めすることを介して第１の動作要素の各スロット６２に対して径方向の第１の開口部１９を位置合わせするように、構成される。安全ラッチ１６０の係合方向において、第２の開口部２０が各々の第１の開口部１９の下に設けられる。各開口部１９、２０が正方形または長方形の形状を有し、したがって４つの壁：安全開口部１８から最も離れた底部壁２１、安全開口部の最も近くにある頂部壁２２、ハウジング４の挿入開口部８の最も近くにある左壁２３、およびハウジング４の挿入開口部８から最も離れた右壁２４、を有する。開口部１９、２０が、その底部壁２１を安全ラッチ１６０の係合方向に対して垂直とするように、位置合わせされる。
【０２２４】
安全ラッチ１６０が、開口部１９、２０の中まで延在するように構成される突出部１６２を有する。具体的には、安全ラッチ１６０が２つの脚部１６７を有し、ここでは、各脚部１６７がその端部のところに内向き突出部１６２を有する。各脚部１６７が、それぞれの突出部１６２と同じ側につまり内側に）位置するキャッチ要素１６８をさらに備える。
【０２２５】
非係合位置では、安全ラッチ１６０が、安全ピン１６１を、安全開口部１８を通るように突出させないが脚部突出部１６２をハウジング４の第１の開口部１９の中まで延在させるように方向付けられる。
【０２２６】
係合位置では、安全ラッチ１６０が下方に変位させられ、つまりハウジング４により近づき、その結果、安全ピン１６１が安全開口部１８を通ってハウジング１８の中へ突出し、またその結果、脚部突出部１６２がハウジング４の第２の開口部２０の中まで延在し、さらにその結果、安全ラッチ１６０のキャッチ要素１６８が第１の開口部１９の壁を支承してそれにより外れることがないように安全ラッチ１６０を定着させる。
【０２２７】
安全ラッチ１６０の突出部１６２が特定の形態を有する。安全ラッチ１６０の突出部１６２が基部１６３およびヘッド１６４を備え、ここでは、基部１６３が立方体の形状を有し、脚部１６７に接合され、ヘッド１６４が第１の傾斜領域１６５および第２の傾斜領域１６６を有し、基部１６３に接合される。第１の傾斜領域１６５が、安全ラッチ１６０が非係合位置または係合位置にあるときに、開口部１９、２０の右壁２４の方を向くように構成され、第２の傾斜領域１６６が、安全ラッチ１６０が非係合位置または係合位置にあるときに、開口部１９、２０の底部壁２１の方を向くように構成される。したがって、第１の傾斜領域１６５および第２の傾斜領域１６６が垂直方向を向く。突出部１６２の基部１６３が、また具体的には基部１６３の底部壁が、安全ラッチ１６０が非係合位置または係合位置にあるときに、開口部１９、２０の底部壁２１に接触するように構成される。
【０２２８】
次に、安全ラッチ１６０が非係合位置から係合位置へと如何にして送られるかをさらに詳細に説明する。
【０２２９】
安全ラッチ１６０が外されるところのロック解除位置では、突出部１６２が第１の開口部１９の中まで完全に延在する。この事例では、突出部１６２の基部１６３のみが第１の開口部１９の底部壁２１を支承することになる。その理由は、突出部１６２のヘッド１６２がハウジング４の内部まで完全に延在することになる。したがって、使用者が安全ラッチ１６０を下方に押すとき、使用者が安全ラッチ１６０を係合させることができない。その理由は、突出部１６２の立方体形状の基部１６３の平坦な壁が第１の開口部１９の底部壁２１を当接する。
【０２３０】
この状況は、ラインコネクタ１がロック位置に入るときに、つまり使用者が導管Ｋを作動させてカムボディ１００を移動させるときに、変化する。カムボディ１００の回転を介して、カムボディ１００の突出部１２２が第１の係合プロファイル５９に沿って移動してスロット６２に到達する。しかし、突出部１２２がスロット６２に入るとき、突出部１２２が安全ラッチ１６０の突出部１６２に接触し、具体的にはハウジング４の中までおよびひいては第１の動作要素５０のスロット６２の中まで延在するヘッド１６４に接触する。
【０２３１】
しかし、使用者が導管Ｋをさらに引っ張るとき、これによりカムボディ１００が第１の動作要素５０の中へとさらに移動することになり、それによりカムボディ１００の突出部１２２が、ハウジング４の中に挿入される第１の傾斜領域１６５安全ラッチ１６０を支承することになる。それにより、安全ラッチ１６０の突出部１６２がわずかに押し戻されて第１の開口部１９から外され、つまりカムボディ１００の突出部１２２の延在量に対応する量だけ押し戻される。
【０２３２】
これは、基部１６３の壁ではなくヘッド１６４の第２の傾斜領域１６６により第１の開口部１９の底部壁２１を支承するのに十分なものである。
【０２３３】
次いで、使用者が安全ラッチ１６０を下方に押すとき、第２の傾斜領域１６６が底部壁２１を支承することになり、それにより安全ラッチ１６０の突出部１６２が変位させられて第１の開口部１９から完全に外される。使用者によりさらに押し込まれると、安全ラッチ１６０が継続して係合位置まで移動することになる。その理由は、この時点では安全ラッチ１６０の移動を阻害するものが存在しないからである。
【０２３４】
このようにして、安全ラッチ１６０が係合位置に入り、安全ピン１６１が安全開口部１８に入る。この事例では、使用者が、カムボディ１００をロック解除に到達させるように、導管Ｋをラインコネクタ１の中へ押すことができない。
【０２３５】
安全ラッチ１６０を外すためには、使用者が安全ラッチ１６０を上方に引く。これにより、突出部１６２が、ハウジング４内のブラインドの第２の開口部２０の傾斜領域を支承することになる。これが突出部１６２を変位させ、それにより脚部１６７を第２の開口部２０から外し、それにより使用者が安全ラッチ１６０を引いて係合位置から外して非係合位置に戻すことが可能となる。安全ラッチ１６０が、図２１に示されるように、ハウジング４上に配置される突出部９を支承するように構成されるキャッチ要素１６８により、ハウジングから完全に離れるように引かれることが防止される。
【０２３６】
本発明は上述した実施形態のうちの任意の１つの実施形態のみに限定されず、むしろ任意の形で変化され得る。特許請求の範囲、本説明、および図から生じる、構造的態様、空間配置、および方法ステップを含めた、すべての特徴および利点が、単独の形および他の特徴との組み合わせの形の両方で、本発明において、一定の役割を果たすことができる。
【符号の説明】
【０２３７】
１  ラインコネクタ
２  インレット
３  アウトレット
４  ハウジング
５  外側表面
６  内側表面
７  前方表面
８  挿入開口部
９  突出部
１０  第１のチャンバ
１１  第２のチャンバ
１２  第３のチャンバ
１３  第４のチャンバ
１４  テーパセクション
１５  ノッチ
１６  溝
１７  モミの木のプロファイル
１８  安全開口部
１９  第１の開口部
２０  第２の開口部
２１  底部壁
２２  頂部壁
２３  左壁
２４  右壁
２５  第１の密閉リング
２６  第２の密閉リング
２７  ガイドリング
３０  係合機構
Ｅ  係合軸
４０  変換機構
５０  第１の動作要素
５１  壁
５２  端部
５３  基部
５４  外側
５５  内側
５６  底部側
５７  頂部側
５８  中央開口部
５９  第１の係合プロファイル
６０  第１のスロープ領域
６１  停止部
６２  スロット
６３  側部
６４  足
６５  底部面
６６  縁部
６７  棒
６８  前方側
６９  後方側
７０  内側凹部
７１  フランジ
Ｃ１  中心軸
Ｌ  円周方向
８０  第２の動作要素
８１  内側
８２  外側
８３  頂部側
８４  底部側
８５  中心開口部
８６  溝
８７  第２の係合プロファイル
８８  第２のスロープ領域
８９  停止部
９０  ステップ領域
Ｃ２  中心軸
Ｒ  反時計回り方向
Ｄ２  径方向
Ｍ  円周方向
１００  カムボディ
１０１  背面側
１０２  前方側
１０３  外側
１０４  内側
１０５  土台
１０６  脚部
１０７  第１の脚部
１０８  第２の脚部
１０９  第３の脚部
１１０  第４の脚部
１１１  接合部片
１１２  径方向延在部分
１１３  フック部分
１１４  取り付け領域
１１５  頂部側の傾斜領域
１１６  凹部
１１７  スロート
１１８  湾曲部
１１９  前方傾斜領域
１２０  内側傾斜領域
１２１  頂面
１２２  突出部
１２３  第１の突出部
１２４  第２の突出部
１２５  断面
１２６  斜辺
１２７  底辺
１２８  側辺
１２９  後方縁部
１３０  中央開口部
１３１  リップ
１３２  インターフェース
１３３  内部側
１３９  フランク
１４０  突起部
１４１  テール部分
１４２  ボディ部分
１４３  ヘッド部分
１４４  第１のフィンガ
１４５  第２のフィンガ
１４６  第１の先端部分
１４７  第２の先端部分
１４８  後壁
１４９  取り付け機構
ＡＢ  直線
Ｗ  幅
Ｃ３  中心軸
１６０  安全ラッチ
１６１  安全ピン
１６２  突出部
１６３  基部
１６４  ヘッド
１６５  第１の傾斜領域
１６６  第２の傾斜領域
１６７  脚部
１６８  キャッチ要素
Ｋ  導管
Ｓ  差込み部
２００  突出部
２０１  カラー
【図１ａ】
2021503584.tif 000003
【図１ｂ】
2021503584.tif 000004
【図２】
2021503584.tif 000005
【図３】
2021503584.tif 000006
【図４】
2021503584.tif 000007
【図５】
2021503584.tif 000008
【図６】
2021503584.tif 000009
【図７】
2021503584.tif 000010
【図８】
2021503584.tif 000011
【図９】
2021503584.tif 000012
【図１０】
2021503584.tif 000013
【図１１】
2021503584.tif 000014
【図１２】
2021503584.tif 000015
【図１３ａ】
2021503584.tif 000016
【図１３ｂ】
2021503584.tif 000017
【図１４】
2021503584.tif 000018
【図１５】
2021503584.tif 000019
【図１６】
2021503584.tif 000020
【図１７】
2021503584.tif 000021
【図１８】
2021503584.tif 000022
【図１９】
2021503584.tif 000023
【図２０】
2021503584.tif 000024
【図２１】
2021503584.tif 000025
【図２２】
2021503584.tif 000026
【国際調査報告】
2021503584.tif 000027
2021503584.tif 000028